(57)【特許請求の範囲】
【請求項１】
ユーザ機器で動作可能なワイヤレス通信の方法であって、
第１のセルから受信された送信に対応する第１の経路損失と第２のセルから受信された送信に対応する第２の経路損失との間の差がしきい値よりも小さいことの判定に応答して共通制御チャネル上で非サービングセルからの情報を受信することと、
前記共通制御チャネル上で受信された前記情報に従ってアップリンク送信電力を調整することと、
前記共通制御チャネルに対応するチャネライゼーションコードを備えるシステム情報ブロックを受信することと、
前記チャネライゼーションコードを利用して前記共通制御チャネルを復号することとを備える、方法。
【請求項２】
前記第１のセルから受信された前記送信に対応する前記第１の経路損失を決定することと、
前記第２のセルから受信された前記送信に対応する前記第２の経路損失を決定することと、
前記第１の経路損失と前記第２の経路損失との間の前記差が前記しきい値よりも小さいことを判定することとをさらに備える、請求項１に記載の方法。
【請求項３】
前記第１のセルからの前記送信が第１のパイロット信号を備え、前記第２のセルからの前記送信が第２のパイロット信号を備える、請求項２に記載の方法。
【請求項４】
前記第１のセルが前記ユーザ機器のためのサービングセルであり、前記方法が、
前記第２のセルに対応するスクランブリングコードを備えるシステム情報ブロックを受信することをさらに備え、前記第２のセルからの前記送信に対応する前記第２の経路損失を前記決定することが、前記第２のセルに対応する前記スクランブリングコードを利用して前記第２のパイロット信号を復号することを備える、請求項３に記載の方法。
【請求項５】
前記共通制御チャネルが共通Ｅ−ＲＧＣＨを備え、前記共通制御チャネル上で受信された前記情報がアップリンク送信用に利用される利得を変える命令を備える、請求項１に記載の方法。
【請求項６】
ユーザ機器で動作可能なワイヤレス通信の方法であって、
第１のセルから受信された送信に対応する第１の経路損失および第２のセルから受信された送信に対応する第２の経路損失に関する情報を送信することと、
前記送信された情報に応答してアップリンク送信電力を低減するための信号を共通制御チャネル上で非サービングセルから受信することと、
前記アップリンク送信電力を低減するための前記信号に従ってアップリンク送信を送信することと、
前記共通制御チャネルに対応するチャネライゼーションコードを備えるシステム情報ブロックを受信することと、
前記チャネライゼーションコードを利用して前記共通制御チャネルを復号することとを備える、方法。
【請求項７】
前記第１のセルから受信された前記送信に対応する前記第１の経路損失を決定することと、
前記第２のセルから受信された前記送信に対応する前記第２の経路損失を決定することと、
前記第１の経路損失と前記第２の経路損失との間の差を判定することとをさらに備え、
前記第１の経路損失および前記第２の経路損失に関する前記情報が、前記第１の経路損失と前記第２の経路損失との間の前記差を備える、請求項６に記載の方法。
【請求項８】
前記アップリンク送信電力を低減するための前記信号が、前記ユーザ機器のための最大アップリンク送信電力を備え、
前記アップリンク送信電力を低減するための前記信号に従って前記アップリンク送信を前記送信することが、前記アップリンク送信電力を低減するための前記信号で受信された最大アップリンク送信電力内に入るように前記アップリンク送信電力を低減することを備える、請求項６に記載の方法。
【請求項９】
少なくとも１つのプロセッサと、
前記少なくとも１つのプロセッサに結合されたメモリとを備え、
前記少なくとも１つのプロセッサが、
第１のセルから受信された送信に対応する第１の経路損失と第２のセルから受信された送信に対応する第２の経路損失との間の差がしきい値よりも小さいことの判定に応答して共通制御チャネル上で非サービングセルからの情報を受信し、
前記共通制御チャネル上で受信された前記情報に従ってアップリンク送信電力を調整するように構成され、
前記少なくとも１つのプロセッサが、
前記共通制御チャネルに対応するチャネライゼーションコードを備えるシステム情報ブロックを受信し、
前記チャネライゼーションコードを利用して前記共通制御チャネルを復号するようにさらに構成される、
ワイヤレスユーザ機器。
【請求項１０】
前記少なくとも１つのプロセッサが、
前記第１のセルから受信された前記送信に対応する前記第１の経路損失を決定し、
前記第２のセルから受信された前記送信に対応する前記第２の経路損失を決定し、
前記第１の経路損失と前記第２の経路損失との間の前記差が前記しきい値よりも小さいことを判定するようにさらに構成された、請求項９に記載のワイヤレスユーザ機器。
【請求項１１】
前記第１のセルからの前記送信が第１のパイロット信号を備え、前記第２のセルからの前記送信が第２のパイロット信号を備える、請求項１０に記載のワイヤレスユーザ機器。
【請求項１２】
前記第１のセルが前記ワイヤレスユーザ機器のためのサービングセルであり、前記少なくとも１つのプロセッサが、
前記第２のセルに対応するスクランブリングコードを備えるシステム情報ブロックを受信するようにさらに構成され、前記第２のセルからの前記送信に対応する前記第２の経路損失を前記決定することが、前記第２のセルに対応する前記スクランブリングコードを利用して前記第２のパイロット信号を復号することを備える、請求項１１に記載のワイヤレスユーザ機器。
【請求項１３】
前記共通制御チャネルが共通Ｅ−ＲＧＣＨを備え、前記共通制御チャネル上で受信された前記情報がアップリンク送信用に利用される利得を変える命令を備える、請求項９に記載のワイヤレスユーザ機器。
【請求項１４】
少なくとも１つのプロセッサと、
前記少なくとも１つのプロセッサに結合されたメモリとを備え、
前記少なくとも１つのプロセッサが、
第１のセルから受信された送信に対応する第１の経路損失および第２のセルから受信された送信に対応する第２の経路損失に関する情報を送信し、
前記送信された情報に応答してアップリンク送信電力を低減するための信号を共通制御チャネル上で非サービングセルから受信し、
前記アップリンク送信電力を低減するための前記信号に従ってアップリンク送信を送信するように構成され、
前記少なくとも１つのプロセッサが、
前記共通制御チャネルに対応するチャネライゼーションコードを備えるシステム情報ブロックを受信し、
前記チャネライゼーションコードを利用して前記共通制御チャネルを復号するようにさらに構成される、ワイヤレスユーザ機器。
【請求項１５】
前記少なくとも１つのプロセッサが、
前記第１のセルから受信された前記送信に対応する前記第１の経路損失を決定し、
前記第２のセルから受信された前記送信に対応する前記第２の経路損失を決定し、
前記第１の経路損失と前記第２の経路損失との間の差を判定するようにさらに構成され、
前記第１の経路損失および前記第２の経路損失に関する前記情報が、前記第１の経路損失と前記第２の経路損失との間の前記差を備える、請求項１４に記載のワイヤレスユーザ機器。
【請求項１６】
前記アップリンク送信電力を低減するための前記信号が、前記ユーザ機器のための最大アップリンク送信電力を備え、
前記アップリンク送信電力を低減するための前記信号に従って前記アップリンク送信を前記送信することが、前記アップリンク送信電力を低減するための前記信号で受信された最大アップリンク送信電力内に入るように前記アップリンク送信電力を低減することを備える、請求項１４に記載のワイヤレスユーザ機器。
【請求項１７】
第１のセルから受信された送信に対応する第１の経路損失と第２のセルから受信された送信に対応する第２の経路損失との間の差がしきい値よりも小さいことの判定に応答して共通制御チャネル上で非サービングセルからの情報を受信するための手段と、
前記共通制御チャネル上で受信された前記情報に従ってアップリンク送信電力を制御するための手段と、
前記共通制御チャネルに対応するチャネライゼーションコードを備えるシステム情報ブロックを受信する手段と、
前記チャネライゼーションコードを利用して前記共通制御チャネルを復号する手段とを備える、ワイヤレスユーザ機器。
【請求項１８】
第１のセルから受信された送信に対応する第１の経路損失および第２のセルから受信された送信に対応する第２の経路損失に関する情報を送信するための手段と、
前記送信された情報に応答してアップリンク送信電力を低減するための信号を共通制御チャネル上で非サービングセルから受信するための手段と、
前記アップリンク送信電力を低減するための前記信号に従ってアップリンク送信を送信するための手段と、
前記共通制御チャネルに対応するチャネライゼーションコードを備えるシステム情報ブロックを受信する手段と、
前記チャネライゼーションコードを利用して前記共通制御チャネルを復号する手段とを備える、ワイヤレスユーザ機器。
【請求項１９】
ワイヤレスユーザ機器のコンピュータによって実行可能なコンピュータプログラムであって、
第１のセルから受信された送信に対応する第１の経路損失と第２のセルから受信された送信に対応する第２の経路損失との間の差がしきい値よりも小さいことの判定に応答して共通制御チャネル上で非サービングセルからの情報を受信するための命令と、
前記共通制御チャネル上で受信された前記情報に従ってアップリンク送信電力を調整するための命令と、
前記共通制御チャネルに対応するチャネライゼーションコードを備えるシステム情報ブロックを受信するための命令と、
前記チャネライゼーションコードを利用して前記共通制御チャネルを復号するための命令とを備える、コンピュータプログラム。
【請求項２０】
ワイヤレスユーザ機器のコンピュータによって実行可能なコンピュータプログラムであって、
第１のセルから受信された送信に対応する第１の経路損失および第２のセルから受信された送信に対応する第２の経路損失に関する情報を送信するための命令と、
前記送信された情報に応答してアップリンク送信電力を低減するための信号を共通制御チャネル上で非サービングセルから受信するための命令と、
前記アップリンク送信電力を低減するための前記信号に従ってアップリンク送信を送信するための命令と、
前記共通制御チャネルに対応するチャネライゼーションコードを備えるシステム情報ブロックを受信するための命令と、
前記チャネライゼーションコードを利用して前記共通制御チャネルを復号するための命令とを備える、コンピュータプログラム。
【発明の詳細な説明】
【技術分野】
【０００１】
関連出願の相互参照
本出願は２０１１年２月１８日に米国特許商標局に出願した特許仮出願第６１／４４４，２６４号の優先権および利益を主張するもので、その内容全体が参照により本明細書に組み込まれる。
【０００２】
本開示の態様は一般にワイヤレス通信システムに関し、特に異種ワイヤレス通信システム内の干渉軽減に関する。
【背景技術】
【０００３】
ワイヤレス通信ネットワークは、電話、ビデオ、データ、メッセージング、ブロードキャストなどの様々な通信サービスを提供するために広く展開されている。このようなネットワークは、通常、多元接続ネットワークであり、利用可能なネットワークリソースを共有することによって複数のユーザのための通信をサポートする。このようなネットワークの一例は、ＵＭＴＳ地上波無線アクセスネットワーク（ＵＴＲＡＮ）である。ＵＴＲＡＮは、第３世代パートナーシッププロジェクト（３ＧＰＰ）によってサポートされる第３世代（３Ｇ）携帯電話技術である、ユニバーサルモバイル電気通信システム（ＵＭＴＳ）の一部として規定された無線アクセスネットワーク（ＲＡＮ）である。ＵＭＴＳは、グローバルシステムフォアモバイルコミュニケーション（ＧＳＭ（登録商標））技術の後継であり、現在、広帯域符号分割多元接続（Ｗ−ＣＤＭＡ(登録商標)）、時分割符号分割多元接続（ＴＤ−ＣＤＭＡ）、および時分割同期符号分割多元接続（ＴＤ−ＳＣＤＭＡ）のような様々なエアインターフェース規格をサポートする。ＵＭＴＳは、より高いデータ転送速度および容量を関連のＵＭＴＳネットワークに提供する高速パケットアクセス（ＨＳＰＡ）などの拡張型３Ｇデータ通信プロトコルもサポートする。
【０００４】
最近、異種ネットワークが、鉄道の駅、トンネル、オフィスビル、および家庭などの、他の方法でカバーし難いエリアにおいてワイヤレスカバレージを改善するであろうという期待から、強い関心分野になっている。異種ネットワークは、従来の高出力マクロセルを、容量、通信可能領域、および電源能力の異なるマイクロセル、ピコセル、およびフェムトセルなどの様々な低電力ノードと同様に含む。しかしながら、様々な基地局が様々な電力レベルを有するような配備に伴い、多くの問題が様々な基地局間、または、１つまたは他のタイプの基地局によってサービスされるユーザ機器間の干渉に関連して生じ得る。加えて、様々なタイプの基地局の異なる電源能力に起因し、あるタイプの基地局によるユーザ機器によるアップリンク送信の電力制御が別のタイプの基地局によるこれら送信の受信に悪影響を及ぼし得る。
【０００５】
モバイルブロードバンドアクセスの需要が増大し続けることから、研究開発がＵＭＴＳ技術を進歩させて、モバイルブロードバンドアクセスの増大する需要を満たすだけでなく、モバイル通信のユーザエクスペリエンスを発展および向上させるために継続している。
【発明の概要】
【０００６】
以下に、本開示の１つまたは複数の態様の簡略化された概要をこうした態様の基本的理解のために提示する。これら概要は本開示の全ての企図された特徴の広範囲にわたる概略ではなく、本開示の全ての態様の主要または重要な要素を識別したり、本開示のいずれかまたは全ての態様の範囲を定めるたりするものでもない。その唯一の目的は、後で提示されるより詳細な説明への導入部として、本開示の１つまたは複数の態様のいくつかの概念を簡略化された形で提示することにある。
【０００７】
一態様において、本開示はユーザ機器で動作可能なワイヤレス通信の方法を提供する。ここで、この方法は第１のセルから受信された送信に対応する第１の経路損失と第２のセルから受信された送信に対応する第２の経路損失との間の差がしきい値よりも小さいことの判定に応答して共通制御チャネルを監視することと、共通制御チャネル上の情報に従ってアップリンク送信電力を調整することとを含む。
【０００８】
本開示の別の態様は、基地局で動作可能なワイヤレス通信の方法を提供する。ここで、この方法は、無線ネットワークサブシステム内の少なくとも１つのセルに対応するスクランブリングコード、および共通制御チャネルに対応するチャネライゼーションコードを備えるシステム情報ブロックを送信することと、セル間干渉がしきい値よりも大きいことの判定に応答して共通制御チャネル上に負荷制御コマンドを送信することとを含む。いくつかの例において、この方法は、セル間干渉を監視することと、セル間干渉がしきい値よりも大きいことを判定することとをさらに含み、セル間干渉はアクティブセット内に基地局を含まない１つまたは複数のユーザ機器からのアップリンク送信によって生じた干渉を含む。いくつかのさらなる例において、共通制御チャネルはアップリンク送信に利用される利得を変える命令を含む共通Ｅ−ＲＧＣＨである。
【０００９】
本開示の別の態様は、ネットワークノード（例えば、基地局、ＲＮＣなど）で動作可能なワイヤレス通信の方法を提供する。ここで、この方法は、第１の基地局が、そのアクティブセット内に第１の基地局を含まないユーザ機器からのアップリンク送信を含むセル間干渉の被害を受ける（ｖｉｃｔｉｍ）ものであることを判定することと、バックホールインターフェースを介して第１の基地局に信号を送信して、第１の基地局にセル間干渉を抑圧するように命令することとを含む。いくつかの例では、第１の基地局がセル間干渉の影響を受けていることを判定することは、第１の基地局を含む複数の基地局からノードＢの機器情報を受信し、受信されたノードＢの機器情報を利用して、第１の基地局がセル間干渉の影響を受けていることを判定すること、第１の基地局および第２の基地局に対応する経路損失測定情報を受信すること、または、第１の基地局からセル間干渉測定情報を受信することのうちの少なくとも１つを含むことができ、経路損失測定情報は、第１の基地局と第２の基地局との間のソフトハンドオーバにある少なくとも１つのユーザ機器によって送られる。別の例では、第１の基地局にセル間干渉を抑圧するように命令する信号が、第１の基地局にある受信機で減衰を増大させるよう命じる、第１の基地局向けの命令を含み得る。別の例では、第１の基地局にセル間干渉を抑圧するように命令する信号が、第１の基地局でスケジューリング目標のライズオーバサーマルを増大させるよう命じる、第１の基地局向けの命令を含み得る。さらに別の例では、第１の基地局にセル間干渉を抑圧するように命令する信号が、セル間干渉にセル間干渉除去を行う、基地局向けの命令を含み得る。この例において、この方法は、第１の基地局が少なくとも１つのユーザ機器によって送信されたアップリンク信号のセル間干渉除去を行うことを可能にするために、少なくとも１つのユーザ機器に対応する情報を第１の基地局に送信することをさらに含み得る。この例に加えて、第１の基地局に送信された情報は、少なくとも１つのユーザ機器によって利用されたアップリンクスクランブリングコード、少なくとも１つのユーザ機器によって利用されたアップリンクＤＰＣＣＨスロットフォーマット、少なくとも１つのユーザ機器によって利用されたフレームオフセット、少なくとも１つのユーザ機器によって利用されたパンクチャリミット、少なくとも１つのユーザ機器によって利用されたＥ−ＴＦＣＳ情報、少なくとも１つのユーザ機器によって利用されたＥ−ＴＴＩ、少なくとも１つのユーザ機器によって利用されたＥ−ＤＰＣＣＨ電力オフセット、少なくとも１つのユーザ機器によって利用されたアップリンクＤＰＤＣＨの最大数、または少なくとも１つのユーザ機器によって利用されたＥ−ＤＰＤＣＨの最大セットのうちの少なくとも１つを含み得る。
【００１０】
本開示の別の態様は、ユーザ機器で動作可能なワイヤレス通信の方法を提供する。ここで、この方法は、第１のセルから受信された送信に対応する第１の経路損失および第２のセルから受信された送信に対応する第２の経路損失に関する情報を送信することと、送信された情報に応答してアップリンク送信電力に関する命令を受信することと、アップリンク送信電力に関する命令に従ってアップリンク送信を送信することとを含む。
【００１１】
本開示の別の態様は、ユーザ機器で動作可能なワイヤレス通信の方法を提供する。ここで、この方法は、アップリンク制御チャネルに対応する復号誤り率を検出することと、アップリンク制御チャネルの復号の失敗に応答してアップリンク電力を増大させることと、アップリンク制御チャネルの復号の成功に応答してアップリンク電力を減少させることとを含む。
【００１２】
本開示の別の態様は、ネットワークノード（例えば、基地局、ＲＮＣなど）で動作可能なワイヤレス通信の方法を提供する。ここで、この方法は、第１のユーザ機器によって送信され、第１の基地局によって受信されたアップリンク制御チャネルの品質がしきい値を下回ることを検出することと、第１のユーザ機器に命令を送信することとを含み、その命令はアップリンク制御チャネルの品質を改善するように適合される。いくつかの例では、第１のユーザ機器に送信された命令が、アップリンク制御チャネルを送信する際に第１のユーザ機器によって利用される電力を増大させるように適合された電力増大値を含み得る。いくつかの例は、第１の基地局での平均受信信号対干渉比と第１のユーザ機器に対応する平均目標信号対干渉比との間の差を決定することと、電力増大値を決定することとを含み、電力増大値は、第１の基地局での平均受信信号対干渉比と第１のユーザ機器に対応する平均目標信号対干渉比との間の決定された差に対応する。さらに、第１のユーザ機器に送信された命令は、ソフトハンドオーバから第１のユーザ機器を除外するように適合され、第１のユーザ機器のためのアクティブセットから第１のセルを除く全てのセルを除外できる。
【００１３】
本開示の別の態様は、ネットワークノード（例えば、基地局、ＲＮＣなど）で動作可能なワイヤレス通信の方法を提供する。ここで、この方法は、第１のユーザ機器によって送信され、第１の基地局によって受信されたアップリンク制御チャネルの品質がしきい値を下回ることを検出することと、第２の基地局が第１のユーザ機器にアップリンク送信の電力を低減する命令を送信したことを示す情報を第２の基地局から受信することと、第２の基地局または第１のユーザ機器のうちの少なくとも１つに命令を送信することとを含み、その命令は第１のユーザ機器の第２の基地局による電力制御を無効にするように適合される。いくつかの例では、命令を送信することが、ユーザ機器に第１の命令を送信して、第２の基地局からの電力制御コマンドに従うことを停止するように第１のユーザ機器に命令することを含み得る。別の例では、命令を送信することが、第２の基地局に第１の命令を送信して、第１のユーザ機器に電力ダウンコマンドを送信することを停止するように第２の基地局に命令することを含み得る。さらに別の例では、命令を送信することが、第２の基地局に第１の命令を送信して、第１のユーザ機器の外部ループ電力制御を無効にすることを含み得る。
【００１４】
本開示の別の態様は、少なくとも１つのプロセッサと、少なくとも１つのプロセッサに結合されたメモリとを含むワイヤレスユーザ機器を提供する。ここで、少なくとも１つのプロセッサは、第１のセルから受信された送信に対応する第１の経路損失と第２のセルから受信された送信に対応する第２の経路損失との間の差がしきい値よりも小さいことの判定に応答して共通制御チャネルを監視し、共通制御チャネル上の情報に従ってアップリンク送信電力を調整するように構成される。
【００１５】
本開示の別の態様は、少なくとも１つのプロセッサと、少なくとも１つのプロセッサに結合されたメモリとを含むワイヤレスユーザ機器を提供する。ここで、少なくとも１つのプロセッサは、第１のセルから受信された送信に対応する第１の経路損失および第２のセルから受信された送信に対応する第２の経路損失に関する情報を送信し、送信された情報に応答してアップリンク送信電力に関する命令を受信し、アップリンク送信電力に関する命令に従ってアップリンク送信を送信するように構成される。
【００１６】
本開示の別の態様は、少なくとも１つのプロセッサと、少なくとも１つのプロセッサに結合されたメモリとを含むワイヤレスユーザ機器を提供する。ここで、少なくとも１つのプロセッサは、アップリンク制御チャネルに対応する復号誤り率を検出し、アップリンク制御チャネルの復号の失敗に応答してアップリンク電力を増大させ、アップリンク制御チャネルの復号の成功に応答してアップリンク電力を減少させるように構成される。
【００１７】
本開示の別の態様は、第１のセルから受信された送信に対応する第１の経路損失と第２のセルから受信された送信に対応する第２の経路損失との間の差がしきい値よりも小さいことの判定に応答して共通制御チャネルを監視するための手段と、共通制御チャネル上の情報に従ってアップリンク送信電力を調整するための手段とを含む、ワイヤレスユーザ機器を提供する。
【００１８】
本開示の別の態様は、第１のセルから受信された送信に対応する第１の経路損失および第２のセルから受信された送信に対応する第２の経路損失に関する情報を送信するための手段と、送信された情報に応答してアップリンク送信電力に関する命令を受信するための手段と、アップリンク送信電力に関する命令に従ってアップリンク送信を送信するための手段とを含む、ワイヤレスユーザ機器を提供する。
【００１９】
本開示の別の態様は、アップリンク制御チャネルに対応する復号誤り率を検出するための手段と、アップリンク制御チャネルの復号の失敗に応答してアップリンク電力を増大させるための手段と、アップリンク制御チャネルの復号の成功に応答してアップリンク電力を減少させるための手段とを含む、ワイヤレスユーザ機器を提供する。
【００２０】
本開示の別の態様は、コンピュータに、第１のセルから受信された送信に対応する第１の経路損失と第２のセルから受信された送信に対応する第２の経路損失との間の差がしきい値よりも小さいことの判定に応答して共通制御チャネルを監視させるための命令と、コンピュータに、共通制御チャネル上の情報に従ってアップリンク送信電力を調整させるための命令とを有するコンピュータ可読媒体を含む、ワイヤレスユーザ機器で動作可能なコンピュータプログラム製品を提供する。
【００２１】
本開示の別の態様は、コンピュータに、第１のセルから受信された送信に対応する第１の経路損失および第２のセルから受信された送信に対応する第２の経路損失に関する情報を送信させるための命令と、コンピュータに、送信された情報に応答してアップリンク送信電力に関する命令を受信させるための命令と、コンピュータに、アップリンク送信電力に関する命令に従ってアップリンク送信を送信させるための命令とを有するコンピュータ可読媒体を含む、ワイヤレスユーザ機器で動作可能なコンピュータプログラム製品を提供する。
【００２２】
本開示の別の態様は、コンピュータに、アップリンク制御チャネルに対応する復号誤り率を検出させるための命令と、コンピュータに、アップリンク制御チャネルの復号の失敗に応答してアップリンク電力を増大させるための命令と、コンピュータに、アップリンク制御チャネルの復号の成功に応答してアップリンク電力を減少させるための命令とを有するコンピュータ可読媒体を含む、ワイヤレスユーザ機器で動作可能なコンピュータプログラム製品を提供する。
【００２３】
本発明の上記およびその他の態様は、発明を実施するための形態を検討すればより十分に理解されよう。
【図面の簡単な説明】
【００２４】
【図１】処理システムを採用する装置のためのハードウェア実装形態の一例を示すブロック図。
【図２】ユーザプレーンおよび制御プレーンのための無線プロトコルアーキテクチャの一例を示す概念図。
【図３】電気通信システムの一例を概念的に示すブロック図。
【図４】アクセスネットワークの一例を示す概念図。
【図５】電気通信システムにおいてＵＥと通信中のノードＢの一例を概念的に示すブロック図。
【図６】ＵＥが高電力ノードと低電力ノードとの間のソフトハンドオーバにあり、高電力ノードがＨＳＤＰＡのためのサービングセルの役割を果たす例示的な異種ネットワークの一部分を示す概念図。
【図７】アップリンク電力の不均衡がＨＳＤＰＡサービングセルでアップリンク制御チャネルの受信不良をもたらす可能性がある図６の構成における具体的な問題を示すフローチャート。
【図８】アップリンク制御チャネルのためにＵＥによって使用される電力を増大させるための例示的なプロセスを示すフローチャート。
【図９】目標誤り率に従ってアップリンク制御チャネルのためにＵＥによって使用される電力を調整する例示的なプロセスを示すフローチャート。
【図１０】非サービングセルがＵＥを電力制御することを防止するためにソフトハンドオーバからＵＥを除外する例示的なプロセスを示すフローチャート。
【図１１】非サービングセルがＵＥを電力制御することを防止するためにＵＥの電力制御を無効にする例示的なプロセスを示すフローチャート。
【図１２】アップリンク送信干渉が様々なセル間で生じる可能性のある例示的な異種ネットワークの一部分を示す概念図。
【図１３】従来の方法でアップリンク電力制御に利用可能な複数のＵＥのセットの外のＵＥの電力制御を可能にするために共通制御チャネルを利用する例示的なプロセスを示すフローチャート。
【図１４】干渉原因であるＵＥの最大送信電力を下げる例示的なプロセスを示すフローチャート。
【図１５】雑音パッディングを適用したり、スケジューリング目標ライズオーバサーマルを増大させたりすることでノードＢでのセル間干渉を抑圧する例示的なプロセスを示すフローチャート。
【図１６】セル間干渉除去を適用することでノードＢでのセル間干渉を抑圧する例示的なプロセスを示すフローチャート。
【発明を実施するための形態】
【００２５】
添付の図面とともに以下で説明される、発明を実施するための形態は、様々な構成を説明するものであり、本明細書に記載された概念が実施され得る唯一の構成を表すものではない。発明を実施するための形態は、様々な概念を完全に理解するための具体的な詳細を含む。しかしながら、これらの概念はこれらの具体的な詳細なしに実施され得ることが当業者には明らかであろう。いくつかの例では、こうした概念を不明瞭にしないように、よく知られている構造および構成要素がブロック図の形式で示される。
【００２６】
図１は、処理システム１１４を採用する装置１００のためのハードウェア実装形態の一例を示す概念図である。本開示の様々な態様によれば、要素、または要素の任意の部分、または要素の任意の組合せは、１つまたは複数のプロセッサ１０４を含む処理システム１１４を用いて実装され得る。プロセッサ１０４の例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲートロジック、個別ハードウェア回路、および本開示全体にわたって記載される様々な機能を行うように構成された他の適切なハードウェアが含まれる。
【００２７】
この例では、処理システム１１４が、バス１０２によって概略的に表されたバスアーキテクチャを用いて実装され得る。バス１０２は、処理システム１１４の特定の適用例および全体的な設計制約に応じて、任意の数の相互接続するバスとブリッジとを含み得る。バス１０２は、（プロセッサ１０４によって概略的に表された）１つまたは複数のプロセッサと、メモリ１０５と、（コンピュータ可読媒体１０６によって概略的に表された）コンピュータ可読媒体とを含む、様々な回路を互いにリンクする。バス１０２はまた、タイミングソース、周辺機器、電圧調整器、および電源管理の回路などの様々な他の回路をリンクできるが、これらの回路は当技術分野においてよく知られており、従って、これ以上記載されない。バスインターフェース１０８は、バス１０２とトランシーバ１１０との間のインターフェースを提供する。トランシーバ１１０は、伝送媒体を介して様々な他の装置と通信するための手段を提供する。装置の種類に応じて、ユーザインターフェース１１２（例えば、キーパッド、ディスプレイ、スピーカ、マイクロフォン、ジョイスティック）も提供され得る。
【００２８】
プロセッサ１０４は、バス１０２を管理することと、コンピュータ可読媒体１０６に記憶されたソフトウェアの実行を含む一般的な処理とを担当する。ソフトウェアは、プロセッサ１０４によって実行されたとき、処理システム１１４に、任意の特定の装置のための以下に記載される様々な機能を行わせる。コンピュータ可読媒体１０６はまた、ソフトウェアを実行するときにプロセッサ１０４によって操作されるデータを記憶するために使用され得る。
【００２９】
処理システム内の１つまたは複数のプロセッサ１０４はソフトウェアを実行できる。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体１０６に常駐できる。コンピュータ可読媒体１０６は非一時的コンピュータ可読媒体であり得る。非一時的コンピュータ可読媒体には、例として、磁気記憶デバイス（例えば、ハードディスク、フロッピー（登録商標）ディスク、磁気ストリップ）、光ディスク（例えば、コンパクトディスク（ＣＤ）またはデジタル多用途ディスク（ＤＶＤ））、スマートカード、フラッシュメモリデバイス（例えば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、並びにコンピュータによってアクセスされ、読み取られ得るソフトウェアおよび／または命令を記憶するための任意の他の適切な媒体が含まれる。コンピュータ可読媒体にはまた、例として、搬送波、伝送線路、並びにコンピュータによってアクセスされ、読み取られ得るソフトウェアおよび／または命令を伝送するための任意の他の適切な媒体が含まれ得る。コンピュータ可読媒体１０６は、処理システム１１４内に常駐するか、処理システム１１４の外部にあるか、または処理システム１１４を含む複数のエンティティにわたって分散され得る。コンピュータ可読媒体１０６はコンピュータプログラム製品の中で具現化され得る。例として、コンピュータプログラム製品は、包装材料の中にコンピュータ可読媒体を含み得る。当業者は、特定の適用例および全体的なシステムに課せられた全体的な設計制約に応じて、どのようにすることが本開示全体にわたって提示される記載の機能を実装するために最良であるかを認識されよう。
【００３０】
本開示全体にわたって提示される様々な概念は、幅広い様々な電気通信システム、ネットワークアーキテクチャ、および通信規格にわたって実装され得る。任意の特定のワイヤレス電気通信システムでは、通信プロトコルアーキテクチャが、特定の適用例に応じて様々な形態をとることができる。例えば、３ＧＰＰのＵＭＴＳシステムでは、シグナリングプロトコルスタックが非アクセス層（ＮＡＳ）とアクセス層（ＡＳ）とに分割される。ＮＡＳは、モバイルユーザ機器（ＵＥ）とコアネットワークとの間の信号伝達のために上位レイヤを提供し、回線交換プロトコルとパケット交換プロトコルとを含み得る。ＡＳは、アクセスネットワークとＵＥとの間の信号伝達のために下位レイヤを提供し、ユーザプレーンと制御プレーンとを含み得る。ここで、ユーザプレーンすなわちデータプレーンはユーザトラフィックを搬送し、制御プレーンは制御情報（すなわち、信号伝達）を搬送する。
【００３１】
図２を参照すると、ＡＳは３つのレイヤ、レイヤ１、レイヤ２、およびレイヤ３で示される。レイヤ１は最下位レイヤであり、様々な物理レイヤの信号処理機能を実装する。レイヤ１は、本明細書では物理レイヤ２０６と呼ばれる。レイヤ２  ２０８と呼ばれるデータリンクレイヤは物理レイヤ２０６の上にあり、物理レイヤ２０６を介したＵＥ２１０とノードＢ２０８との間のリンクを担当する。
【００３２】
レイヤ３で、ＲＲＣレイヤ２１６はＵＥ２１０とノードＢ２０８との間の信号を伝達する制御プレーンを扱う。ＲＲＣレイヤ２１６は、上位レイヤのメッセージを経路選択し、ブロードキャストおよびページングの機能を扱い、無線ベアラを確立し構成する、などのためのいくつかの機能エンティティを含む。
【００３３】
示された図では、Ｌ２レイヤ２０８がサブレイヤに分割される。制御プレーンでは、Ｌ２レイヤ２０８が２つのサブレイヤ、媒体アクセス制御（ＭＡＣ）サブレイヤ２１０と無線リンク制御（ＲＬＣ）サブレイヤ２１２とを含む。ユーザプレーンでは、Ｌ２レイヤ２０８がパケットデータコンバージェンスプロトコル（ＰＤＣＰ）サブレイヤ２１４をさらに含む。図示されていないが、ＵＥは、ネットワーク側のＰＤＮゲートウェイで終端されるネットワークレイヤ（例えば、ＩＰレイヤ）と、接続の他端（例えば、ファーエンドＵＥ、サーバなど）で終端されるアプリケーションレイヤとを含む、Ｌ２レイヤ２０８の上のいくつかの上位レイヤを有することができる。
【００３４】
ＰＤＣＰサブレイヤ２１４は、様々な無線ベアラと論理チャネルとの間の多重化を提供する。ＰＤＣＰサブレイヤ２１４はまた、無線送信オーバーヘッドを低減する上位レイヤデータパケットのためのヘッダ圧縮、データパケットを暗号化することによるセキュリティ、およびノードＢの間のＵＥに対するハンドオーバサポートを提供する。
【００３５】
ＲＬＣサブレイヤ２１２は、（確認応答および再送のプロセスが誤り訂正用に使用され得る）確認応答モード（ＡＭ）、非確認応答モード（ＵＭ）、およびデータ転送のための透過モードを全般的にサポートし、上位レイヤデータパケットの分割および再構築、並びにデータパケットの並べ替えを提供して、ＭＡＣレイヤでのハイブリッド自動再送要求（ＨＡＲＱ）に起因する異常受信を補償する。確認応答モードでは、ＲＬＣおよびＵＥなどのＲＬＣピアエンティティが、とりわけ、ＲＬＣデータＰＤＵと、ＲＬＣ状態ＰＤＵと、ＲＬＣリセットＰＤＵとを含む、様々なＲＬＣプロトコルデータユニット（ＰＤＵ）を交換できる。本開示では、「パケット」という用語がＲＬＣピアエンティティの間で交換される任意のＲＬＣ  ＰＤＵを指すことができる。
【００３６】
ＭＡＣサブレイヤ２１０は、論理チャネルとトランスポートチャネルとの間の多重化を提供する。ＭＡＣサブレイヤ２１０はまた、ＵＥの間の１つのセル内の様々な無線リソース（例えば、リソースブロック）を割り当てることを担当する。ＭＡＣサブレイヤ２１０はまた、ＨＡＲＱ動作を担当する。
【００３７】
次に図３を参照すると、本開示の様々な態様が、限定せずに示す例として、ユニバーサルモバイル電気通信システム（ＵＭＴＳ）ネットワーク３００を参照して説明される。ＵＭＴＳネットワークは、３つの対話ドメイン、コアネットワーク３０４と、無線アクセスネットワーク（ＲＡＮ）（例えば、ＵＭＴＳ地上波無線アクセスネットワーク（ＵＴＲＡＮ））３０２と、ユーザ機器（ＵＥ）３１０とを含む。ＵＴＲＡＮ３０２に利用可能ないくつかのオプションの中で、この例では、図示されたＵＴＲＡＮ３０２が、電話、ビデオ、データ、メッセージング、ブロードキャスト、および／または他のサービスを含む様々なワイヤレスサービスを可能にするためのＷ−ＣＤＭＡエアインターフェースを採用できる。ＵＴＲＡＮ３０２は無線ネットワークサブシステム（ＲＮＳ）３０７などの複数のＲＮＳを含むことができ、ＲＮＳの各々は無線ネットワークコントローラ（ＲＮＣ）３０６などのそれぞれのＲＮＣによって制御される。ここで、ＵＴＲＡＮ３０２は、図示されたＲＮＣ３０６とＲＮＳ３０７とに加えて、任意の数のＲＮＣ３０６とＲＮＳ３０７とを含み得る。ＲＮＣ３０６は、とりわけ、ＲＮＳ３０７内で無線リソースを割り当て、再構成し、解放することを担当する装置である。ＲＮＣ３０６は、任意の適切なトランスポートネットワークを使用して、直接物理接続、仮想ネットワークなどの様々なタイプのインターフェースを介して、ＵＴＲＡＮ３０２内の他のＲＮＣ（図示せず）と相互接続され得る。
【００３８】
ＲＮＳ３０７によってカバーされる地理的領域はいくつかのセルに分割されて、無線トランシーバ装置が各セルをサービスするようにできる。無線トランシーバ装置は、ＵＭＴＳの適用例において通常ノードＢと呼ばれるが、当業者によっては、基地局（ＢＳ）、トランシーバ基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または何らかの他の適切な用語で呼ばれることもある。明確さのために、３つのノードＢ３０８が各ＲＮＳ３０７内に示されているが、ＲＮＳ３０７は任意の数のワイヤレスノードＢを含み得る。ノードＢ３０８は、任意の数のモバイル装置に、コアネットワーク３０４へのワイヤレスアクセスポイントを提供する。モバイル装置の例には、携帯電話、スマートフォン、セッション開始プロトコル（ＳＩＰ）電話、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（例えば、ＭＰ３プレーヤ）、カメラ、ゲーム機、または任意の他の同様の機能デバイスが含まれる。モバイル装置は、ＵＭＴＳの適用例では普通、ユーザ機器（ＵＥ）と呼ばれるが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の適切な用語で呼ばれることもある。ＵＭＴＳシステムでは、ＵＥ３１０が、ネットワークへのユーザの加入情報を含んでいる汎用加入者識別モジュール（ＵＳＩＭ）３１１をさらに含み得る。説明の目的で、いくつかのノードＢ３０８と通信中の１つのＵＥ３１０が示される。順方向リンクとも呼ばれるダウンリンク（ＤＬ）は、ノードＢ３０８からＵＥ３１０への通信リンクを指し、逆方向リンクとも呼ばれるアップリンク（ＵＬ）は、ＵＥ３１０からノードＢ３０８への通信リンクを指す。
【００３９】
コアネットワーク３０４は、ＵＴＲＡＮ３０２などの１つまたは複数のアクセスネットワークとインターフェースできる。図示されたように、コアネットワーク３０４はＵＭＴＳコアネットワークである。しかしながら、当業者が認識するように、本開示全体にわたって提示される様々な概念は、ＵＭＴＳネットワーク以外のタイプのコアネットワークへのアクセスをＵＥに提供するために、ＲＡＮ、または他の適切なアクセスネットワークに実装され得る。
【００４０】
図示されたＵＭＴＳコアネットワーク３０４は、回線交換（ＣＳ）ドメインとパケット交換（ＰＳ）ドメインとを含む。回線交換要素の一部は、モバイルサービス交換センタ（ＭＳＣ）、ビジタロケーションレジスタ（ＶＬＲ）、およびゲートウェイＭＳＣ（ＧＭＳＣ）である。パケット交換要素は、サービングＧＰＲＳサポートノード（ＳＧＳＮ）と、ゲートウェイＧＰＲＳサポートノード（ＧＧＳＮ）とを含む。ＥＩＲ、ＨＬＲ、ＶＬＲ、およびＡｕＣのようないくつかのネットワーク要素は、回線交換ドメインとパケット交換ドメインの両方によって共有され得る。
【００４１】
図示された例では、コアネットワーク３０４が、ＭＳＣ３１２とＧＭＳＣ３１４とを用いて回線交換サービスをサポートする。いくつかの適用例では、ＧＭＳＣ３１４が媒体ゲートウェイ（ＭＧＷ）と呼ばれる場合がある。ＲＮＣ３０６などの１つまたは複数のＲＮＣはＭＳＣ３１２に接続され得る。ＭＳＣ３１２は、呼設定機能と、呼ルーティング機能と、ＵＥモビリティ機能とを制御する装置である。ＭＳＣ３１２はまた、ＵＥがＭＳＣ３１２のカバレージエリア内にある間、加入者関係情報を含んでいるビジタロケーションレジスタ（ＶＬＲ）を含む。ＧＭＳＣ３１４は、ＵＥが回線交換ネットワーク３１６にアクセスするために、ＭＳＣ３１２を介したゲートウェイを提供する。ＧＭＳＣ３１４は、特定のユーザが加入したサービスの詳細を反映するデータなどの加入者データを含んでいるホームロケーションレジスタ（ＨＬＲ）３１５を含む。ＨＬＲはまた、加入者固有の認証データを含んでいる認証センタ（ＡｕＣ）に関連付けられる。特定のＵＥ向けの呼が受信されると、ＧＭＳＣ３１４はＨＬＲ３１５に問い合わせてＵＥのロケーションを決定し、そのロケーションをサービスする特定のＭＳＣに呼を転送する。
【００４２】
図示されたコアネットワーク３０４は、サービングＧＰＲＳサポートノード（ＳＧＳＮ）３１８とゲートウェイＧＰＲＳサポートノード（ＧＧＳＮ）３２０とを用いてパケット交換データサービスもサポートする。汎用パケット無線サービス（ＧＰＲＳ）は、標準の回線交換データサービスで利用可能な速度よりも速い速度で、パケットデータサービスを提供するように設計されている。ＧＧＳＮ３２０は、パケットベースネットワーク３２２へのＵＴＲＡＮ３０２のための接続を提供する。パケットベースネットワーク３２２は、インターネット、プライベートデータネットワーク、または何らかの他の適切なパケットベースネットワークであり得る。ＧＧＳＮ３２０の主要機能は、パケットベースネットワーク接続をＵＥ３１０に提供することである。データパケットは、ＳＧＳＮ３１８を介してＧＧＳＮ３２０とＵＥ３１０との間で転送され得るし、ＳＧＳＮ３１８は、主に、ＭＳＣ３１２が回線交換ドメインで行うのと同じ機能をパケットベースドメインで行う。
【００４３】
上記で説明されたように、ＵＴＲＡＮエアインターフェースは、Ｗ−ＣＤＭＡ規格を利用するシステムなどの、スペクトラム拡散直接シーケンス符号分割多元接続（ＤＳ−ＣＤＭＡ）システムであり得る。スペクトラム拡散ＤＳ−ＣＤＭＡは、チップと呼ばれる擬似ランダムビットのシーケンスによる乗算によって、ユーザデータを拡散する。ＵＴＲＡＮ３０２のためのＷ−ＣＤＭＡエアインターフェースは、こうしたＤＳ−ＣＤＭＡ技術に基づいており、さらに周波数分割複信（ＦＤＤ）を必要とする。ＦＤＤは、ノードＢ４０８とＵＥ３１０との間のアップリンク（ＵＬ）およびダウンリンク（ＤＬ）に対して異なる搬送周波数を使用する。ＤＳ−ＣＤＭＡを利用し、時分割複信（ＴＤＤ）を使用するＵＭＴＳのための別のエアインターフェースは、ＴＤ−ＳＣＤＭＡエアインターフェースである。本明細書に記載された様々な例はＷ−ＣＤＭＡエアインターフェースに言及する場合があるが、基礎をなす原理はＴＤ−ＳＣＤＭＡエアインターフェースまたは他の適切なエアインターフェースに等しく適用可能であることを、当業者は認識されよう。
【００４４】
次に図４を参照すると、例として、かつ限定せずに、ＵＴＲＡＮアーキテクチャにおけるＲＡＮ４００の簡略化された概略図が示される。システムは、セル４０２と、セル４０４と、セル４０６とを含む複数のセルラー領域（セル）を含み、その各々は１つまたは複数のセクタを含み得る。セルは、（例えば、カバレージエリアにより）地理的に定義され得るし、かつ／または周波数、スクランブリングコードなどに従って定義され得る。すなわち、図示された地理的に定義されたセル４０２、４０４、および４０６は、例えば、様々なスクランブリングコードを利用することによって、各々複数のセルにさらに分割され得る。例えば、セル４０４ａは第１のスクランブリングコードを利用でき、セル４０４ｂは、同じ地理的領域にあり同じノードＢ４４４によってサービスされるが、第２のスクランブリングコードを利用することによって区別され得る。
【００４５】
セクタに分割されたセルでは、１つのセル内の複数のセクタがアンテナのグループによって形成され、各アンテナがセルの一部分におけるＵＥとの通信を担当するようにできる。例えば、セル４０２では、アンテナグループ４１２、４１４、および４１６が各々異なるセクタに対応できる。セル４０４では、アンテナグループ４１８、４２０、および４２２が各々異なるセクタに対応できる。セル４０６では、アンテナグループ４２４、４２６、および４２８が各々異なるセクタに対応できる。
【００４６】
セル４０２、４０４、および４０６は、各セル４０２、４０４、または４０６のうちの１つまたは複数のセクタと通信できるいくつかのＵＥを含み得る。例えば、ＵＥ４３０および４３２はノードＢ４４２と通信することができ、ＵＥ４３４および４３６はノードＢ４４４と通信でき、ＵＥ４３８および４４０はノードＢ４４６と通信できる。ここで、各ノードＢ４４２、４４４、および４４６は、それぞれのセル４０２、４０４、および４０６内の全てのＵＥ４３０、４３２、４３４、４３６、４３８、および４４０に、コアネットワーク２０４（図２参照）へのアクセスポイントを提供するように構成され得る。
【００４７】
ソースセルとの通話のあいだ、あるいは任意の他の時間に、ＵＥ４３６はソースセルの様々なパラメータ並びに隣接するセルの様々なパラメータを監視できる。さらに、これらのパラメータの品質に応じて、ＵＥ４３６は、隣接するセルのうちの１つまたは複数との通信を維持できる。この時間のあいだ、ＵＥ４３６は、アクティブセット、すなわちＵＥ４３６が同時に接続されるセルのリストを維持できる（すなわち、ダウンリンク専用物理チャネルＤＰＣＨまたはフラクショナルダウンリンク専用物理チャネルＦ−ＤＰＣＨをＵＥ４３６に現在割り当てているＵＴＲＡＮセルが、アクティブセットを構成できる）。
【００４８】
図５は、例示的なＵＥ５５０と通信中の例示的なノードＢ５１０のブロック図であり、ノードＢ５１０が図３のノードＢ３０８であって、ＵＥ５５０が図３のＵＥ３１０であり得る。ダウンリンク通信では、送信プロセッサ５２０が、データソース５１２からのデータおよびコントローラ／プロセッサ５４０からの制御信号を受信できる。送信プロセッサ５２０は、データおよび制御信号、並びに基準信号（例えば、パイロット信号）のための様々な信号処理機能を提供する。例えば、送信プロセッサ５２０は、誤り検出のための巡回冗長検査（ＣＲＣ）コードと、前方誤り訂正（ＦＥＣ）を可能にするためのコーディングおよびインターリービングと、様々な変調方式（例えば、２位相シフトキーイング（ＢＰＳＫ）、４位相シフトキーイング（ＱＰＳＫ）、Ｍ位相シフトキーイング（Ｍ−ＰＳＫ）、Ｍ直交振幅変調（Ｍ−ＱＡＭ）など）に基づく信号コンスタレーションへのマッピングと、直交可変拡散率（ＯＶＳＦ）による拡散と、一連のシンボルを生成するためのスクランブリングコードによる乗算とを提供できる。チャネルプロセッサ５４４からのチャネル推定値は、送信プロセッサ５２０のためのコーディング、変調、拡散、および／またはスクランブリングの方式を決定するために、コントローラ／プロセッサ５４０によって使用され得る。これらのチャネル推定値は、ＵＥ５５０によって送信された基準信号から、あるいはＵＥ５５０からのフィードバックから導出され得る。送信プロセッサ５２０によって生成されたシンボルは、フレーム構造を生成するために送信フレームプロセッサ５３０に供給される。送信フレームプロセッサ５３０は、これらのシンボルをコントローラ／プロセッサ５４０からの情報で多重化することによってこのフレーム構造を作成し、一連のフレームをもたらす。次いで、これらのフレームは送信機５３２に供給され、送信機５３２は、アンテナ５３４を通るワイヤレス媒体を介したダウンリンク送信用に、フレームを増幅し、フィルタリングし、キャリア上に変調することを含む様々な信号調整機能を提供する。アンテナ５３４は、例えば、ビームステアリング双方向アダプティブアンテナアレイ、または他の同様のビーム技術を含む１つまたは複数のアンテナを含み得る。
【００４９】
ＵＥ５５０では、受信機５５４がアンテナ５５２を通してダウンリンク送信を受信し、この送信を処理してキャリア上に変調された情報を復元する。受信機５５４によって復元された情報は受信フレームプロセッサ５６０に供給され、受信フレームプロセッサ５６０は各フレームを解析し、フレームからの情報をチャネルプロセッサ５９４に、データと、制御信号と、基準信号とを受信プロセッサ５７０に供給する。次いで、受信プロセッサ５７０は、ノードＢ５１０内の送信プロセッサ５２０によって行われた処理の逆を行う。より具体的には、受信プロセッサ５７０は、シンボルを逆スクランブルおよび逆拡散し、次いで、変調方式に基づいてノードＢ５１０によって送信された最も高い可能性の信号コンスタレーション点を決定する。これらの軟判定は、チャネルプロセッサ５９４によって計算されたチャネル推定値に基づくことができる。次いで、軟判定は復号およびデインターリーブされて、データと、制御信号と、基準信号とを復元する。次いで、ＣＲＣコードがチェックされて、フレームの復号に成功したかどうかを判定する。復号に成功したフレームによって搬送されたデータは、次いでデータシンク５７２に供給され、データシンク５７２は、ＵＥ５５０内で稼働中のアプリケーション、および／または様々なユーザインターフェース（例えば、ディスプレイ）を表す。復号に成功したフレームによって搬送された制御信号は、コントローラ／プロセッサ５９０に供給される。受信機プロセッサ５７０によるフレームの復号が失敗したとき、コントローラ／プロセッサ５９０はまた、それらのフレームに対する再送要求をサポートするために、肯定応答（ＡＣＫ）および／または否定応答（ＮＡＣＫ）のプロトコルを使用することもできる。
【００５０】
アップリンクでは、データソース５７８からのデータおよびコントローラ／プロセッサ５９０からの制御信号が、送信プロセッサ５８０に供給される。データソース５７８は、ＵＥ５５０内で稼働中のアプリケーションと、様々なユーザインターフェース（例えば、キーボード）とを表すことができる。ノードＢ５１０によるダウンリンク送信に関して記載された機能と同様に、送信プロセッサ５８０は、ＣＲＣコードと、ＦＥＣを可能にするためのコーディングおよびインターリービングと、信号コンスタレーションへのマッピングと、ＯＶＳＦによる拡散と、一連のシンボルを生成するためのスクランブリングとを含む様々な信号処理機能を提供する。ノードＢ５１０によって送信された基準信号から、あるいはノードＢ５１０によって送信されたミッドアンブル内に含まれているフィードバックから、チャネルプロセッサ５９４によって導出されたチャネル推定値は、適切なコーディング、変調、拡散、および／またはスクランブリングの方式を選択するために使用され得る。送信プロセッサ５８０によって生成されたシンボルは、フレーム構造を作成するために、送信フレームプロセッサ５８２に供給される。送信フレームプロセッサ５８２は、これらのシンボルをコントローラ／プロセッサ５９０からの情報で多重化することによってこのフレーム構造を作成し、一連のフレームをもたらす。次いで、これらのフレームは送信機５５６に供給され、送信機５５６は、アンテナ５５２を通るワイヤレス媒体を介したアップリンク送信用に、フレームを増幅し、フィルタリングし、キャリア上に変調することを含む様々な信号調整機能を提供する。
【００５１】
アップリンク送信は、ＵＥ５５０での受信機能に関して記載された方法と同様の方法で、ノードＢ５１０で処理される。受信機５３５は、アンテナ５３４を通してアップリンク送信を受信し、この送信を処理してキャリア上に変調された情報を復元する。受信機５３５によって復元された情報は受信フレームプロセッサ５３６に供給され、これが各フレームを解析してこれらフレームからの情報をチャネルプロセッサ５４４へ、並びにデータ信号、制御信号、および基準信号を受信プロセッサ５３８へ供給する。受信プロセッサ５３８は、ＵＥ５５０内の送信プロセッサ５８０によって行われた処理の逆を行う。復号に成功したフレームによって搬送されたデータおよび制御信号は、次いで、それぞれデータシンク５３９およびコントローラ／プロセッサに供給され得る。受信プロセッサ５３８によるフレームの一部の復号が失敗した場合、コントローラ／プロセッサ５４０はまた、それらのフレームに対する再送要求をサポートするために、肯定応答（ＡＣＫ）および／または否定応答（ＮＡＣＫ）のプロトコルも使用できる。
【００５２】
コントローラ／プロセッサ５４０および５９０は、それぞれノードＢ５１０およびＵＥ５５０での動作を指示するために使用され得る。例えば、コントローラ／プロセッサ５４０および５９０は、タイミング、周辺インターフェース、電圧調整、電源管理、および他の制御機能を含む、様々な機能を提供できる。メモリ５４２および５９２のコンピュータ可読媒体は、それぞれノードＢ５１０用およびＵＥ５５０のためのデータとソフトウェアとを記憶できる。ノードＢ５１０でのスケジューラ／プロセッサ５４６は、リソースをＵＥに割り当てるため、かつＵＥのためのダウンリンク送信および／またはアップリンク送信をスケジュールするために使用され得る。
【００５３】
高速パケットアクセス（ＨＳＰＡ）エアインターフェースは、ＵＥ３１０とＵＴＲＡＮ３０２との間の３Ｇ／Ｗ−ＣＤＭＡエアインターフェースに対する一連の強化を含むことができ、より大きいスループットを可能にし、ユーザの待ち時間が低減される。以前の規格の他の変更の中でも、ＨＳＰＡは、ハイブリッド自動再送要求（ＨＡＲＱ）と、共有チャネル送信と、適応変調コーディングとを利用する。ＨＳＰＡを定義する規格には、ＨＳＤＰＡ（高速ダウンリンクパケットアクセス）、およびＨＳＵＰＡ（拡張アップリンクすなわちＥＵＬとも呼ばれる、高速アップリンクパケットアクセス）が含まれる。
【００５４】
例えば、３ＧＰＰ規格ファミリーのリリース５では、ＨＳＤＰＡが導入された。ＨＳＤＰＡは、いくつかのＵＥによって共有され得る高速ダウンリンク共有チャネル（ＨＳ−ＤＳＣＨ）を、そのトランスポートチャネルとして利用する。ＨＳ−ＤＳＣＨは、３つの物理チャネルである、高速物理ダウンリンク共有チャネル（ＨＳ−ＰＤＳＣＨ）、高速共有制御チャネル（ＨＳ−ＳＣＣＨ）、および高速専用物理制御チャネル（ＨＳ−ＤＰＣＣＨ）によって実装される。
【００５５】
ＨＳ−ＳＣＣＨは、ＨＳ−ＤＳＣＨの伝送に関するダウンリンク制御情報を搬送するために利用され得る物理チャネルである。ここで、ＨＳ−ＤＳＣＨは１つまたは複数のＨＳ−ＳＣＣＨに関連付けられ得る。ＵＥはＨＳ−ＳＣＣＨを連続的に監視して、そのデータをいつＨＳ−ＤＳＣＨから読み込むかを決定し、割り当てられた物理チャネルで使用される変調方式を決定する。
【００５６】
ＨＳ−ＰＤＳＣＨは、いくつかのＵＥによって共有され得るとともに、高速ダウンリンクのためのダウンリンクデータを搬送できる物理チャネルである。ＨＳ−ＰＤＳＣＨは、４位相シフトキーイング（ＱＰＳＫ）と、１６直交振幅変調（１６−ＱＡＭ）と、多重符号伝送とをサポートできる。
【００５７】
ＨＳ−ＤＰＣＣＨは、ＵＥからのフィードバックを搬送して、そのスケジューリングアルゴリズムにおいてノードＢを支援できるアップリンク物理チャネルである。フィードバックは、チャネル品質インジケータ（ＣＱＩ）と、前のＨＳ−ＤＳＣＨ伝送の肯定応答または否定応答（ＡＣＫ／ＮＡＫ）とを含み得る。
【００５８】
リリース５のＨＳＤＰＡと以前に規格化された回線交換エアインターフェースとの間のダウンリンク上の１つの差異は、ＨＳＤＰＡでのソフトハンドオーバがないことである。このことは、ＨＳＤＰＡチャネルがＨＳＤＰＡサービングセルと呼ばれる単一のセルからＵＥに送信されることを意味する。ユーザが移動するにつれて、または１つのセルが別のユーザに好ましくなるにつれて、ＨＳＤＰＡサービングセルは変化する場合がある。それでも、ＵＥは関連付けられたＤＰＣＨ上でソフトハンドオーバにあることができ、複数のセルから同じ情報を受信する。
【００５９】
リリース５のＨＳＤＰＡでは、任意のインスタンスで、ＵＥ３１０が、通常ＥC／Ｉ0のＵＥ測定値に従って、アクティブセット内の最強のセルである１つのサービングセルを有する。３ＧＰＰ  ＴＳ２５．３３１のリリース５で規定されたモビリティ手順によれば、ＨＳＰＤＡサービングセルを変更するための無線リソース制御（ＲＲＣ）信号伝達メッセージは、現在のＨＳＤＰＡサービングセル（すなわち、ソースセル）から送信され、そのセルはＵＥがより強いセル（すなわち、ターゲットセル）になると報告するセルではない。
【００６０】
ＨＳＤＰＡネットワーク内の上述されたチャネル（ＨＳ−ＰＤＳＣＨ、ＨＳ−ＳＣＣＨ、およびＨＳ−ＤＰＣＣＨ）は、リリース９９専用チャネル（ＤＣＨ）に対応するチャネルに加えて送信される。ＤＣＨは、ユーザデータなどの情報を搬送する専用物理データチャネル（ＤＰＤＣＨ）と、ＤＰＤＣＨに関連付けられた制御情報を搬送するパイロットチャネルである専用物理制御チャネル（ＤＰＣＣＨ）とを含む、物理チャネルにマップされたトランスポートチャネルである。ＤＰＤＣＨとＤＰＣＣＨの各々は、アップリンクとダウンリンクの両方で利用される。
【００６１】
図６は、高電力ノードＢ６０４と低電力ノードＢ６０２とを含む例示的な異種アクセスネットワークの一部分を示す。ここで、ノードＢ６０２とノードＢ６０４の両方は、図５に示されたノードＢ５１０と同じであり得る。さらに、図６に示されたＵＥ６１０は、図５に示されたＵＥ５５０と同じであり得る。図６に示されたように、ＵＥ６１０はソフトハンドオーバ内にあり得る。すなわち、ＵＥ６１０は、異なるノードＢ６０２とノードＢ６０４に属する２つのセクタの重複するカバレージエリアに位置する場合があり、その結果、リリース９９のＤＣＨ、具体的にはアップリンクＤＰＣＣＨ６２０および６２２、並びにそれらに該当する対応ダウンリンクチャネルは、これらのチャネル上の通信が２つのエアインターフェースチャネルを通って同時に起こる、ＵＥ６１０と該当のノードＢ６０２および６０４との間のソフトハンドオーバにあり得る。このノードＢ６０２とノードＢ６０４への同時通信は、電力制御および同期などの機能を調整するために使用され得る。
【００６２】
しかしながら、ＨＳＤＰＡチャネルである、ＨＳ−ＰＤＳＣＨ６２４、ＨＳ−ＳＣＣＨ６２６、およびＨＳ−ＤＰＣＣＨ６２８に対して、ソフトハンドオーバ機能は通常提供されない。すなわち、任意のインスタンスで、ＨＳＤＰＡでは、ＵＥ６１０がサービングＨＳ−ＤＳＣＨセルと呼ばれる唯一のサービングセルを有する。サービングＨＳ−ＤＳＣＨセルは、各セルによって送信されたパイロットチャネル（例えば、共通パイロットチャネルＣＰＩＣＨ）のＵＥ測定値に従って決定された、通常「最良」のダウンリンクセルである。ＵＥ６１０が移動するにつれて、またはダウンリンクチャネルの状態が変化するにつれて、サービングＨＳ−ＤＳＣＨセルは、最良のＣＰＩＣＨのＵＥ報告に従って変化する場合がある。ここで、ダウンリンクのＨＳ−ＰＤＳＣＨ６２４およびＨＳ−ＳＣＣＨ６２６は、サービングＨＳ−ＤＳＣＨセル６０４によって送信され、アップリンクのＨＳ−ＤＰＣＣＨ６２８は、サービングＨＳ−ＤＳＣＨセル６０４によって受信され、復号される。
【００６３】
任意のワイヤレス通信ネットワークの一態様は、アップリンク送信電力の電力制御である。アップリンクでは、ＵＥの送信電力が隣接するセルに対する干渉量を決定し、受信電力は同じセル内の他のＵＥに対する干渉量を決定する。Ｗ−ＣＤＭＡを利用するＵＭＴＳネットワークでは、内部ループ電力制御および外部ループ電力制御がアップリンク送信電力を管理するために一緒に機能する。しばしば高速電力制御とも呼ばれる内部ループ電力制御は、ノードＢでの信号対干渉比（ＳＩＲ）の決定を含み、干渉が目標ＳＩＲ以上の場合、ノードＢは、自分のアクティブセット内にノードＢを有するＵＥに電力制御コマンドを送信し、それらのＵＥに自分の送信電力を下げるように要求できる。外部ループ電力制御は、ＲＮＣでのアップリンク品質の判定を含み、判定された品質に基づいて、（内部ループ電力制御によって使用される）目標ＳＩＲがノードＢに送られる。従って、目標ＳＩＲは、アップリンク品質の１つまたは複数の特性、例えばアップリンクパケット誤り率に従って、経時的に上下する可能性がある。
【００６４】
ＨＳＤＰＡネットワークでは、ＨＳ−ＤＰＣＣＨ６２８のアップリンク送信電力は、ＤＰＣＣＨの電力レベルに対して決定される。すなわち、ＤＰＣＣＨの電力に対するオフセットは、ＨＳ−ＤＰＣＣＨ６２８の送信のための電力を決定するために、ＵＥ６１０によって利用される。このオフセットは制御対電力オフセット（Ｃ２Ｐ）と呼ぶことができ、一般に、３つの異なるオフセットである、Ｄｅｌｔａ＿ＡＣＫ、Ｄｅｌｔａ＿ＮＡＣＫ、またはＤｅｌｔａ＿ＣＱＩから選択されたオフセットである。すなわち、どの情報要素がＨＳ−ＤＰＣＣＨ上に送信されているかに応じて、これらのオフセットのうちの１つがアップリンク送信のためのＣ２Ｐになるように選択され得る。ここで、ＨＳ−ＤＰＣＣＨ６２８の送信電力の設定に対応する様々な問題が発生する可能性がある。例えば、ＨＳ−ＤＰＣＣＨはアップリンク送信電力の一部分を利用し、従って、電力を高く設定し過ぎると、ＵＥ６１０からの他のアップリンク送信のためのリンクバジェットが影響を受ける可能性がある。同様に、電力を高く設定し過ぎると、潜在的に不要な雑音が発生する可能性があり、他のＵＥからのアップリンク送信に干渉する。一方、ＨＳ−ＤＰＣＣＨの電力を低く設定し過ぎると、送信がノードＢで正常に受信されない場合、ＨＳＤＰＡの性能が影響を受ける可能性がある。
【００６５】
特に、電力制御と干渉の問題は、異種ネットワークにおいて発生し、特に問題になる可能性がある。すなわち、図６に示されたネットワークなどの多くのアクセスネットワークでは、セルのうちの１つまたは複数が、高電力ノードと考えられ得る典型的なマクロセルによって提供され得るとともに、セルのうちの１つまたは複数は、マクロセルのカバレージエリア内に配置され得る、フェムトセル、ピコセルなどの低電力ノードによって提供され得る。例えば、図６内の例示では、ＵＥ６１０のためのサービングセルが高電力ノードすなわちマクロセル６０４であり、ＵＥ６１０のためのソフトハンドオーバにある第２のセルは低電力ノード６０２である。低電力ノードは、低電力ノードのいくつかの例のうちの任意の１つであり得る。例えば、３ＧＰＰ規格においてホームノードＢと呼ばれることがあるフェムトセルは、通常、家庭またはオフィス内で使用するように構成された小型の基地局すなわちノードＢである。フェムトセルは、コアネットワークへのそのバックホール接続用に、通常、ケーブルまたはＤＳＬ接続などの高速インターネット接続を利用し得る。ピコセル（またはマイクロセル）は、通常、マクロセルの配置から利用可能なカバレージからカバレージを拡張するために、そうでなければマクロセルからのカバレージが欠いている、例えば、ビル、モール、鉄道の駅などの中に配置された比較的小さく低コストの基地局である。
【００６６】
図７は、アップリンクＨＳ−ＤＰＣＣＨ６２８の信頼性に関する１つの具体的な問題を示すフローチャートであり、その問題は、サービングＨＳ−ＤＳＣＨセル６０４がマクロセルなどの高電力ノードであり、ＵＥ６１０が低電力ノード６０２とのソフトハンドオーバにある場合に異種ネットワーク内でしばしば発生する可能性がある。図示された例において、ブロック７０２では、ＵＥ６１０はマクロセル６０４などの高電力ノードとの接続を確立し、その結果、マクロセル６０４はＵＥ６１０のためのサービングセルになる。ブロック７０４では、ＵＥ６１０は低電力ノード６０２とのソフトハンドオーバに入り得る。ここで、低電力ノード６０２はＵＥ６１０のためのアクティブセットのメンバーである。ここで、ＵＥ６１０が低電力ノード６０２に物理的に非常に近い場合があり得るが、高電力ノード６０４によって送信されたダウンリンクの高電力のために、ＵＥ６１０はより遠くの高電力ノードによってサービスされる。この場合、低電力ノード６０２によって受信されたアップリンク電力は、高電力ノード６０４によって受信されたアップリンク電力よりもはるかに高い可能性がある。従って、ブロック７０６では、低電力ノード６０２がＵＥ６１０に電力制御コマンドを送り、ＵＥの送信電力を下げさせる。すなわち、ソフトハンドオーバにある非サービングセル６０２は、ＤＰＣＣＨ６２２を介してＵＥ６１０に電力制御コマンドを送ることができる。
【００６７】
この場合、ＵＥ６１０がそのアップリンク送信電力を小さくすると、ブロック７０８では、マクロセル６０４で受信されたＨＳ−ＤＰＣＣＨ６２８の送信が非常に弱くなる可能性があり、その結果、ＨＳ−ＤＰＣＣＨの信頼性が悪化する。すなわち、マクロセル６０４は、ＵＥ６１０からのアップリンクＨＳ−ＤＰＣＣＨ送信の受信に失敗する可能性がある。アップリンク制御チャネルＨＳ−ＤＰＣＣＨ６２８は、サービングＨＳ−ＤＳＣＨセルのためのダウンリンクＡＣＫ／ＮＡＣＫおよびＣＱＩなどの情報を搬送するので、ＨＳリンクの性能はこのアップリンク不均衡に起因して悪化する可能性がある。
【００６８】
図８〜図１１は、図６および図７に示されたこのリンク不均衡問題に対処するように適合された本開示のいくつかの態様を示す。すなわち、図８〜図１１の各々は、上述され、図６および図７に示されたリンク不均衡問題に対処するために、単独で、または図示されたプロセスのうちの他のプロセスと連携して使用され得る、異なるプロセスを示す。
【００６９】
一例では、ＲＮＣ６０８が、ＨＳ−ＤＰＣＣＨ制御対パイロット比（Ｃ２Ｐ）を適応的に調整でき、ＨＳ−ＤＰＣＣＨ制御対パイロット比（Ｃ２Ｐ）は、パイロット信号を搬送するＤＰＣＣＨに対するＨＳ−ＤＰＣＣＨ送信の電力を決定するために、ＵＥが利用する電力オフセットである。すなわち、ＲＮＣ６０８が上述されたアップリンク不均衡を検出すると、ＲＮＣ６０８はＵＥ６１０にそのアップリンク送信電力を高めて不均衡を補償し、かつＨＳ−ＤＰＣＣＨがサービングノードＢで確実に復号され得る確度を改善するように命令し得る。
【００７０】
図８は、ＲＮＣ６０８、サービングノードＢ６０４、およびＵＥ６１０で動作可能であり得るステップを有する、上述された例示的なプロセス８００を示すフローチャートである。ブロック８０２で、ＵＥ６１０は、サービングセルおよび非サービングセルとのソフトハンドオーバに入ることができる。例えば、上述されたように、ＵＥ６１０は、そのサービングセルとしてマクロセルなどの高電力ノードを有することができ、ＵＥ６１０は、そのアクティブセット内に低電力ノード６０２などの低電力ノードを有することができる。ここで、上述されたように、外部ループ電力制御の目的で、ＲＮＣ６０８は、被サービスＵＥ６１０からのアップリンク送信のための目標ＳＩＲを維持できる。さらに、ＵＥのアクティブセット内の各ノードＢは、アップリンク制御チャネルの品質、例えば、ＵＥ６１０からのアップリンクのための受信ＳＩＲを報告できる。例えば、ノードＢ５１０（図５参照）などのノードＢでは、受信機５３５がアップリンクＨＳ−ＤＰＣＣＨ６２８などのＵＥからのアップリンク送信を受信すると、受信プロセッサ５３８、チャネルプロセッサ５４４、および／またはコントローラ／プロセッサ５４０のうちの１つまたは複数は、受信された実際のアップリンク送信に対応する受信ＳＩＲを決定できる。さらに、コントローラ／プロセッサ５４０は受信ＳＩＲの測定値をメモリ５４２に記憶でき、その結果、経時的に、平均受信ＳＩＲは複数の受信ＳＩＲの測定値に従って計算され得る。
【００７１】
従来のネットワークでは、複数のノードＢが、高速内部ループ電力制御でＵＥ６１０からのアップリンク送信を受信し復号できるので、通常、ＵＥ６１０から最良のアップリンク信号を受信するノードＢがＵＥ６１０を電力制御して、そのアップリンク送信電力を低減できる場合があり、その結果、ノードＢでの受信ＳＩＲは目標ＳＩＲかそれに近くなる。ここでの問題は、Ｃ２Ｐオフセットに起因して、ＨＳ−ＤＰＣＣＨ６２８がサービングノードＢ６０４で正常に復号され得ないほど大きく、その電力が低減され得ることであり得る。従って、この問題に対処するために、本開示の一態様では、サービングノードＢ６０４および／またはＲＮＣ６０８のうちのいずれか１つまたは両方が、ＨＳ−ＤＰＣＣＨ６２８などのアップリンク制御チャネルの品質がしきい値を下回ることを検出できる。この目的を達成するために、ブロック８０４で、サービングノードＢ６０４はその受信ＳＩＲをＲＮＣ６０８に送信できる。上述されたアップリンク不均衡のケースでは、低電力ノード６０２がＵＥ６１０にそのアップリンク電力を実質的に低減させた場合、サービングノードＢ６０４での受信ＳＩＲは実質的に目標ＳＩＲを下回り得る。例えば、目標ＳＩＲを下回るしきい値の量を確立でき、その結果、受信ＳＩＲがこのしきい値を下回ると、そのことはリンク不均衡が存在することを示す可能性がある。この場合、ブロック８０６で、ＲＮＣ６０８はリンク不均衡を検出できる。例えば、サービングノードＢ６０４からバックホールインターフェースを介して、一連の検出されたＳＩＲ測定値を経時的に受信するＲＮＣ６０８は、平均検出ＳＩＲを計算できる。さらに、外部ループ電力制御の一部として目標ＳＩＲは変化する場合があり、本開示の一態様では、ＲＮＣ６０８が目標ＳＩＲの時間平均に対応する平均目標ＳＩＲを計算できる。本開示の一態様では、サービングノードＢ６０４での平均受信ＳＩＲと平均目標ＳＩＲとの間の差が、例えば差があるしきい値よりも大きいリンク不均衡状態を判定するために利用され得る。
【００７２】
リンク不均衡状態に応答して、本開示の一態様では、ＲＮＣ６０８および／またはサービングノードＢ６０４のうちの１つが、ＵＥ６１０に命令を送信でき、その命令はアップリンク制御チャネルの品質を改善するように適合される。この目的を達成するために、ブロック８０８では、ＲＮＣ６０８が、サービングノードＢ６０４での平均受信ＳＩＲと平均目標ＳＩＲとの間の差に対応する電力オフセット、例えばＣ２Ｐ増大値を計算できる。すなわち、サービングノードＢ６０４での平均受信ＳＩＲと平均目標ＳＩＲとの間の差は、差の増分値がＣ２Ｐ増大値内での増加分に対応できるように、量子化され得る。別の例では、Ｃ２Ｐ増大値のための特定の増大量を送ることよりむしろ、Ｃ２Ｐ増大の信号伝達が、従来のアップリンク電力制御アルゴリズムによって利用されたパワーアップコマンドおよび電力ダウンコマンドと同様に、パワーアップコマンドまたは電力ダウンコマンドを含み得るにすぎない。
【００７３】
ブロック８１０で、ＲＮＣ６０８は、ＵＥ６１０にそのアップリンク送信電力を変更する命令を送信でき、その命令は、決定されたＵＥ６１０へのＣ２Ｐ増大値を含む。この命令に応答して、ブロック８１２で、ＵＥ６１０は受信されたＣ２Ｐ増大値を適用して次のアップリンク送信の電力を増大させることができる。例えば、Ｄｅｌｔａ＿ＡＣＫ、Ｄｅｌｔａ＿ＮＡＣＫ、またはＤｅｌｔａ＿ＣＱＩのうちの１つに対応するＣ２Ｐ値は、受信されたＣ２Ｐ増大値に従って増加され得るし、それにより、ＵＥ６１０によるＨＳ−ＤＰＣＣＨ送信の電力を変更し、サービングノードＢ６０４での受信に成功する確度を改善する。
【００７４】
この例に対する変形形態では、ＲＮＣ６０８に集中するよりむしろ、サービングノードＢ６０４がＣ２Ｐ増大に対応する計算を行える。すなわち、この例において、ブロック８０４では、サービングノードＢ６０４が検出した受信ＳＩＲをサービングノードＢ６０４がＲＮＣ６０８に送信するよりむしろ、ＲＮＣ６０８は目標ＳＩＲをサービングノードＢ６０４に送信できる。従って、この例において、ブロック８０６では、サービングノードＢ６０４が、ＲＮＣ６０８がこの判定を行ったところで上述された同じ方式で、平均受信ＳＩＲと平均目標ＳＩＲとの間の差に従って、リンク不均衡状態が存在するかどうかを判定できる。ここで、ブロック８１０では、上述されたように、サービングノードＢ６０４が新しいＣ２Ｐ増大値をＵＥ６１０に送信できる。
【００７５】
別の例では、ＵＥ６１０が、ハイレベルのアップリンクＨＳ−ＤＰＣＣＨの復号誤りを検出すると、そのアップリンク送信電力を自動的に増大させることができる。すなわち、本開示の一態様では、ＵＥ６１０が、重複送信率、例えば、所与の時間にわたってＨＳ−ＰＤＳＣＨ６２４上でサービングノードＢ６０４によって送信された重複パケットの数を測定できる。上述されたように、ＨＡＲＱ肯定応答メッセージを搬送するＨＳ−ＤＰＣＣＨ６２８がサービングノードＢ６０４によって正常に受信されなかった（不連続送信すなわちＤＴＸとしてノードＢによってみなされた）場合、または、サービングノードＢ６０４がＨＳ−ＤＰＣＣＨ６２８上でＮＡＣＫを受信した場合、サービングノードＢ６０４は、通常ＨＳ−ＰＤＳＣＨ６２４上に対応するパケットを再送する。従って、いくつかの場合には、ＵＥ６１０が、正常に受信され復号されたパケットを示すＡＣＫを送信しても、ＡＣＫがノードＢで受信されなかった場合、パケットはそれでも再送され得る。ここで、ＵＥ６１０が再送を受信すると、ＵＥ６１０は、再送されたパケットは重複送信に対応すると判定し、それに応じて重複送信率を更新できる。この重複送信率は、ＡＣＫ対ＮＡＣＫ／ＤＴＸ比に対応でき、ＡＣＫ対ＮＡＣＫ／ＤＴＸ比はＵＭＴＳ規格に従っていくつかの従来のＵＥ内で測定され得る。
【００７６】
図９は、上述された例示的なプロセス９００を示すフローチャートであり、そこでＵＥ６１０は、ＨＳ−ＤＰＣＣＨ復号誤りのレベルに従って、そのアップリンク送信電力を自動的に調整する。ブロック９０２では、ＵＥ６１０が、サービングセルおよび非サービングセルとのソフトハンドオーバに入ることができる。例えば、上述されたように、ＵＥ６１０は、そのサービングセルとしてマクロセルなどの高電力ノードを有することができ、ＵＥ６１０は、そのアクティブセット内に低電力ノードを有することができる。ブロック９０４では、ＵＥ６１０によって決定されたか、またはＲＮＣ６０８によって決定されたかのいずれであれ、公称ＡＣＫ対ＮＡＣＫ／ＤＴＸ誤り率が設定され、ＵＥ６１０に信号伝達される。
【００７７】
一方、ＵＥ６１０は、ＨＳ−ＰＤＳＣＨ６２４上のダウンリンクパケットを受信し、受信されたパケットの各々について、対応するＡＣＫ／ＮＡＣＫをＨＳ−ＤＰＣＣＨ６２８上に送信できる。上述されたように、経時的に、ＵＥ６１０は、正常に受信され、復号され、すでに肯定応答されたパケットの再送に対応するＡＣＫ対ＮＡＣＫ／ＤＴＸ誤り率を追跡できる。ブロック９０６では、ＵＥ６１０が、すなわち、アップリンク制御チャネル（例えば、ＨＳ−ＤＰＣＣＨ６２８）に対応する復号誤り率を検出することによって、リンク不均衡を検出する。例えば、ＵＥ６１０は、ＡＣＫ対ＮＡＣＫ／ＤＴＸ誤り率が、ブロック９０４で設定された公称または目標のＡＣＫ対ＮＡＣＫ／ＤＴＸ誤り率にあるか、またはそれよりも大きいことを検出できる。この時、ＵＥ６１０は、例えば、公称ＡＣＫ対ＮＡＣＫ／ＤＴＸ誤り率を超えないように、または維持するように、必要に応じてＣ２Ｐ比を増大または減少させることによって、そのアップリンク送信電力を自動的に調整できる。例えば、ブロック９０８では、ＵＥ６１０が、サービングノードＢで、アップリンクＨＳ−ＤＰＣＣＨ上に送信されたＡＣＫの復号に成功したかどうかを判定できる。すなわち、次のシーケンス番号を有するパケットが送信される前に、確認応答されたパケットが再送されない場合、ＡＣＫ復号の成功が判定され得る。同様に、確認応答されたパケットがノードＢによって再送された場合、ＡＣＫ復号の失敗が判定され得る。従って、本開示の一態様では、ＨＳ−ＤＰＣＣＨの復号の失敗に従って、ＵＥ６１０はアップリンク電力を増大させることができる。さらに、ＨＳ−ＤＰＣＣＨの復号の成功に従って、ＵＥ６１０はアップリンク電力を減少させることができる。例えば、ＡＣＫ復号失敗の場合、ブロック９１２では、ＵＥ６１０が指定された量Ｃ２Ｐ＿ｄｏｗｎだけＣ２Ｐマージンを減少させることができ、ＡＣＫ復号成功の場合、ブロック９１０では、ＵＥ６１０が指定された量Ｃ２Ｐ＿ｕｐだけＣ２Ｐマージンを増大させることができる。本開示の様々な態様では、値Ｃ２Ｐ＿ｄｏｗｎおよびＣ２Ｐ＿ｕｐが、ＡＣＫ対ＮＡＣＫ／ＤＴＸ誤り率を所望の値に維持するのに適した任意の値に設定され得る。一例では、Ｃ２Ｐ＿ｕｐとＣ２Ｐ＿ｄｏｗｎとの間の比率が、Ｃ２Ｐ＿ｕｐ／Ｃ２Ｐ＿ｄｏｗｎ＝（１−ＴＥＲ）／ＴＥＲに設定でき、ここで、ＴＥＲは目標誤り率、すなわち、ブロック９０４で設定された公称または目標のＡＣＫ対ＮＡＣＫ／ＤＴＸ誤り率である。
【００７８】
別の例では、ＲＮＣ６０８が、不均衡、すなわちＨＳ−ＤＰＣＣＨが信頼できないことを検出できる。この場合、ＵＥのアクティブセット内にあるセルが、ＵＥにそのアップリンク送信電力を極端に低減するように命令しており、その結果ＨＳ−ＤＰＣＣＨが信頼できない可能性に起因して、ＲＮＣ６０８は、ソフトハンドオーバからＵＥ６１０を単に除外する場合がある。このようにして、ＵＥ６１０にその送信電力を低減するように命令している他のノードＢは、もはやＵＥ６１０を電力制御できない。
【００７９】
図１０は、上述された例示的なプロセス１０００を示すフローチャートであり、そこでＲＮＣは、信頼できないＨＳ−ＤＰＣＣＨの場合、ソフトハンドオーバからＵＥ６１０を除外できる。ブロック１００２では、ＵＥ６１０が、サービングセルおよび非サービングセルとのソフトハンドオーバに入ることができる。例えば、上述されたように、ＵＥ６１０は、そのサービングセルとしてマクロセルなどの高電力ノードを有することができ、ＵＥ６１０は、そのアクティブセット内に低電力ノードを有することができる。本開示の一態様では、ネットワークノード（例えば、ＲＮＣ６０８および／またはサービングノードＢ６０４）が、アップリンク制御チャネル（例えば、ＨＳ−ＤＰＣＣＨ６２８）の品質がしきい値を下回ることを検出できる。例えば、ブロック１００４において、ＲＮＣ６０８は、ＵＥ６１０によって送信され、サービングノードＢ６０４によって受信されたＨＳ−ＤＰＣＣＨ６２８が信頼できるかどうかを判定できる。例えば、サービングノードＢ６０４は、フィンガートラッキング問題をもち始める場合があるか、またはサービングノードＢ６０４は、パイロットＳＩＮＲが非常に低い、例えばしきい値を下回ることを検出する場合がある。いずれの場合でも、サービングノードＢは、ＵＥ６１０によって送信されたアップリンクが信頼できなくなったことを、ＲＮＣ６０８に知らせることができる。この場合、この判定に応答して、ＲＮＣ６０８は、ＵＥ６１０に命令を送信でき、その命令はアップリンク制御チャネルの品質を改善するように適合される。例えば、ブロック１００６では、ＲＮＣ６０８が、ＵＥ６１０にソフトハンドオーバからＵＥ６１０を除外する命令を送信でき、ＵＥのアクティブセット内にサービングＨＳ−ＤＳＣＨセルだけを残す。例えば、ＲＮＣ６０８は、ＲＲＣシグナリングを利用して、ＵＥのアクティブセットからサービングノードＢ６０４以外の各ノードＢを除外するのに適したモビリティイベントを通信できる。このようにして、ＵＥ６１０は、他の非サービングノードＢによって電力制御されず、アップリンクは、サービングノードＢ６０４によってより確実に受信されるようになることができる。
【００８０】
別の例では、ソフトハンドオーバからＵＥを除外することよりもいくぶん急激でない手段が、ＲＮＣ６０８によって取られ得る。すなわち、ソフトハンドオーバからＵＥ６１０を完全に除外するよりむしろ、ＲＮＣ６０８は、問題のあるノードＢ、すなわちＵＥ６１０にアップリンク送信電力を低減するように命令しているノードＢの電力制御を無効にする命令を、ＵＥ６１０に送信できる。
【００８１】
図１１は、上述された例示的なプロセス１１００を示すフローチャートであり、そこでＲＮＣ６０８は、問題のあるノードＢの電力制御を無効にできる。ブロック１１０２では、ＵＥ６１０が、サービングセルおよび非サービングセルとのソフトハンドオーバに入ることができる。例えば、上述されたように、ＵＥ６１０は、そのサービングセルとしてマクロセルなどの高電力ノードを有することができ、ＵＥ６１０は、そのアクティブセット内に低電力ノードを有することができる。本開示の一態様において、ＲＮＣ６０８は、アップリンク制御チャネル（例えば、ＨＳ−ＤＰＣＣＨ６２８）の品質がしきい値を下回ることを検出できる。例えば、ブロック１１０４において、ＲＮＣ６０８は、ＵＥ６１０によって送信されたＨＳ−ＤＰＣＣＨが信頼できるかどうかを判定できる。例えば、サービングノードＢ６０４は、フィンガートラッキング問題をもち始める場合があるか、またはサービングノードＢ６０４は、パイロットＳＩＮＲが低い、例えば適切なしきい値を下回ることを検出する場合がある。いずれの場合でも、サービングノードＢは、ＵＥ６１０によって送信されたアップリンクが信頼できなくなったことを、ＲＮＣ６０８に知らせることができる。さらに、第２の基地局、例えばＵＥ６１０のアクティブセット内の低電力ノード６０２は、第２の基地局がＵＥ６１０にそのアップリンク送信の電力を低減する命令を送信したことを示す情報を、ＲＮＣ６０８に送信できる。この場合、ＲＮＣ６０８は、第２の基地局および／またはＵＥ６１０のうちの少なくとも１つに命令を送信でき、その命令はＵＥ６１０の第２の基地局による電力制御を無効にするように適合される。例えば、ブロック１１０６において、ＲＮＣ６０８は、問題のあるソフトハンドオーバリンクからの外部ループ電力制御を無効にする命令を送信できる。例えば、ＲＮＣ６０８は、ＵＥ６１０とのソフトハンドオーバで選択されたノードＢからの復号結果に基づいて、選択されたノードＢでの目標ＳＩＲの更新を終えることができる。ブロック１１０８では、ＲＮＣ６０８が、選択されたノードＢによるＵＥの内部ループ電力制御を無効にできる。例えば、ＲＮＣ６０８は選択されたノードＢに信号を送信して、選択されたノードＢがＵＥ６１０に電力制御コマンドを送信しないように防止するか、または、ＵＥ６１０にパワーアップコマンドのみを送信し、電力ダウンコマンドを送信しないように、選択されたノードＢに命令できる。別の例では、ＲＮＣ６０８が、選択されたノードＢからの電力制御コマンドを聴くことを止めるようにＵＥ６１０に命令する信号を、ＵＥ６１０に送信できる。
【００８２】
異種ネットワーク内で発生する可能性がある別の具体的な問題は、高電力ノードと低電力ノードとの間で発生する可能性がある高レベルの干渉に関する。例えば、次に図１２を参照すると、異種ネットワークは、マクロセル１２０４などの高電力ノードと、フェムトセルまたはピコセルなどの低電力ノード１２０２とを含むことができ、両方ともそれぞれのバックホール接続１２１２と１２１４とを介して、ＲＮＣ１２１８によって制御される。このネットワークでは、高電力ノード１２０４と低電力ノード１２０２の両方が、図５に示されたノードＢ５１０と同じであり得る。さらに、図１２に示されたＵＥ１２０６、ＵＥ１２０８、ＵＥ１２１０、およびＵＥ１２１６は、図５に示されたＵＥ５５０と同じであり得る。
【００８３】
ここで、高電力ノード１２０４は、その高電力ダウンリンクのおかげで、高電力ノード１２０４がサービングセルになることができる多数のＵＥを引きつけることができる。いくつかの場合において、このことは比較的多数のＵＥ１２０６、ＵＥ１２０８、およびＵＥ１２１０を生じ、それらの各々は自分のサービングセルとして高電力ノード１２０４を有し、低電力ノード１２０２に極めて近接しているが、自分のアクティブセット内に低電力ノード１２０２を有さない。この場合、これらのＵＥ１２０６、ＵＥ１２０８、およびＵＥ１２１０は高電力ノード１２０４へのアップリンク送信上にデータを送り、それらは低電力ノード１２０２のためのアップリンク上に非常に高レベルの干渉を引き起こす場合があり、さらに、低電力ノード１２０２はそれらのＵＥ１２０６、ＵＥ１２０８、およびＵＥ１２１０のアクティブセット内にないので、低電力ノード１２０２は、それらのＵＥを電力制御するか、またはそれらのＵＥのスケジューリング許可を制限する方法を有することができない。従って、低電力ノード１２０２は、近くのマクロセルから生じる大きく制御不能な干渉の犠牲になる可能性があり、低電力ノード１２０２によってサービスされる任意のＵＥ１２１６からのアップリンク送信は悪化する可能性がある。
【００８４】
同様に、小型の電力ノード１２０２は、近くの高電力ノード１２０４と比べて、比較的小さい数のＵＥ１２１６をサービスするにすぎない場合がある。ここで、低電力ノード１２０２によってサービスされる各ＵＥ１２１６は、非常に寛大なスケジューリング許可を受信する場合があり、それにより非常に高い電力でアップリンクを送信する場合がある。この場合、それらのＵＥ１２１６が近くの高電力ノード１２０４とのソフトハンドオーバにないとき、それらは、隣接する高電力ノード１２０４に高レベルの干渉を引き起こす場合があり、犠牲になった高電力ノード１２０４によってサービスされる他のＵＥ１２０６、ＵＥ１２０８、およびＵＥ１２１０のアップリンクスループットを劣化させる。
【００８５】
図１３〜図１６は、図１２に関して上述されたこれらの干渉問題に対処するように適合された、本開示のいくつかの態様を示す。すなわち、図１３〜図１６の各々は、図１２に関して上述された干渉問題に対処するために、単独で、または図示されたプロセスのうちの他のプロセスと連携して利用され得る、異なるプロセスを示す。
【００８６】
一例では、高レベルのセル間干渉を示す状態を低電力ノード１２０２が検出すると、低電力ノード１２０２は、近くのＵＥに自分の送信電力を下げるように要求する共通制御信号を送信できる。ここで、高電力ノード１２０４と低電力ノード１２０２との間の顕著な電力差を検出するそれらのＵＥだけが、共通制御信号を聴き、実際に自分の送信電力を下げる。
【００８７】
図１３は、共通制御チャネルを利用して異種ネットワーク内の干渉を軽減する、上述された例示的なプロセス１３００および１３５０を示すフローチャートである。ここで、プロセス１３００は、アクセスネットワーク内、例えばＲＮＣ１２１８および低電力ノードＢ１２０２で動作可能なプロセスステップを示し、プロセス１３５０は、干渉するＵＥ、例えばＵＥ１２０６で動作可能なプロセスステップを示す。２つのプロセス１３００および１３５０は、いくつかの例では並行して動作できる。
【００８８】
例示的なプロセス１３００によれば、ブロック１３０２では、ＲＮＣ１２１８が、システム情報ブロック（ＳＩＢ）を介して共通制御チャネルに関する情報をブロードキャストできる。すなわち、ＲＮＣ１２１８は、それぞれのバックホールインターフェース（例えば、Ｉｕｂインターフェース）を介して、近接のＵＥにノードＢによってブロードキャストされるべき情報を、ＲＮＣ１２１８に結合された様々なノードＢに送信できる。ここで、ＳＩＢブロードキャスト内に含まれるべき、共通制御チャネルに関する情報は、ＲＮＣ１２１８に結合された無線ネットワークサブシステム（ＲＮＳ）内の一組の近接セルのプライマリスクランブリングコード（ＰＳＣ）を含むことができ、ここで一組の近接セルのサイズは任意の適切なサイズに制限され得る。さらに、ＳＩＢブロードキャスト内に含まれるべき情報は、ＳＩＢを受信するＵＥがそのチャネルを復号することを可能にするための、共通制御チャネルのためのチャネライゼーションコードを含み得る。共通制御チャネルは、他のセルのユーザに相対許可(relative grants)を送るために利用される、共通Ｅ−ＲＧＣＨであり得る。ここで、共通Ｅ−ＲＧＣＨは、セル内のユーザに相対許可を送るために利用される拡張アップリンク（ＥＵＬ）チャネルである、従来の共通Ｅ−ＲＧＣＨとは異なるチャネルである。すなわち、ＵＥは、複数の共通Ｅ−ＲＧＣＨ送信上で２つ以上の相対許可を受信でき、ＵＥは、一般に、それが受信する最も低い相対許可を取る。
【００８９】
ブロック１３０４において、低電力ノード１２０２は、セル間干渉Ｉｏｃがしきい値よりも大きいかどうかを検出できる。すなわち、低電力ノードは、アップリンク送信に利用されるチャネル上の干渉レベル（Ｉｏ）を、連続的または定期的に測定できる。この干渉は、Ｉｏ＝Ｉｏｒ＋Ｉｏｃ＋Ｎｏとして特徴づけられ、ここで、Ｉｏｒは自分のアクティブセット内に低電力ノード１２０２を有するＵＥからの総受信エネルギーを指し、Ｉｏｃはセル間干渉、すなわち自分のアクティブセット内に低電力ノード１２０２を含まないＵＥからのアップリンク送信によって引き起こされた干渉を指し、Ｎｏは雑音レベルである。従って、低電力ノード１２０２は、測定された干渉のＩｏｃ成分を取り出し、その成分がある適切なしきい値よりも大きいかどうかを判定することが可能であり得る。
【００９０】
ブロック１３０４で判定されたように、Ｉｏｃがしきい値よりも大きい場合、ブロック１３０６では、低電力ノード１２０２が、共通Ｅ−ＲＧＣＨ上に適切な負荷制御コマンドを送信でき、共通Ｅ−ＲＧＣＨ用にチャネライゼーションコードがブロック１３０２でブロードキャストされる。このようにして、以下でさらに詳細に記載されるように、自分のアクティブセット内に低電力ノード１２０２を含まないＵＥは、低電力ノード１２０２がＤＰＣＣＨ上に電力制御コマンドを送信することが可能ではあり得ないように、依然として電力制御され得るとともに、共通Ｅ−ＲＧＣＨ上の負荷制御コマンドに応答して、自分のアップリンク送信電力を低減できる。
【００９１】
プロセス１３５０は、そのアクティブセット内に低電力ノード１２０２を含まないＵＥ１２０６のための対応手順を示す。上述されたように、１つまたは複数のＵＥ１２０６が自分のサービングセルとして高電力ノード１２０４を有し、高電力ノード１２０４が近接の低電力ノード１２０２に法外な量の干渉を引き起こす可能性がある場合があり得る。プロセス１３５０は、プロセス１３００と連動して機能して、ＵＥ１２０６が自分のアクティブセット内に低電力ノード１２０２を含まなくても、犠牲になった低電力ノード１２０２が、干渉するＵＥ１２０６の電力を低減させる方法を提供する。
【００９２】
ブロック１３５２では、ＵＥ１２０６が、ブロック１３０２に上述されたように１つまたは複数のノードＢからブロードキャストされたシステム情報ブロック（ＳＩＢ）を受信できる。ここで、ＳＩＢは、１つまたは複数の近接セルに対応するスクランブリングコード（例えば、ＰＳＣ）、および／または負荷制御コマンドを搬送できる共通Ｅ−ＲＧＣＨに対応するチャネライゼーションコードのうちの１つまたは複数を含み得る。
【００９３】
低電力ノード１２０２などの近接セルの複数のＰＳＣを有し、ブロック１３５４で、ＵＥ１２０６が、そのサービングセル１２０４と例えば低電力ノード１２０２などの非サービングセルとの間の経路損失の差を測定できる。すなわち、経路損失は、サービングセルと非サービングセルの各々について決定され得る。経路損失は、当業者に知られている任意の適切な方式で決定され得る。一例において、各ノードＢは、ノードＢがパイロット送信に利用する電力レベルを示す情報要素をブロードキャストできる。ここで、ＵＥがそのノードＢからパイロット送信を受信すると、ＵＥは受信電力の測定値を取り、経路損失を決定するために受信電力と送信電力との間の差を判定できる。別の例において、ＵＥは、受信されたパイロット電力の測定値をノードＢに報告でき、その結果、どの電力をパイロット送信に利用したかを知るノードＢは、自分自身でＵＥでの送信電力と受信電力との間の差を取って、経路損失を決定できる。いずれの場合でも、経路損失は、ノードＢでの送信電力とＵＥでの受信電力との間の差に対応する。
【００９４】
経路損失が、ＵＥのサービングセル、並びにＰＳＣがブロック１３５２で受信された近接セルについて決定されると、ＵＥはその２つの間の差を計算できる。非サービングセルからの経路損失とサービングセルからの経路損失との間の差が適切なしきい値の量よりも小さい（すなわち、干渉するセルからの経路損失がサービングセルからの経路損失に非常に近いか、またはそれよりも低い）場合、このことは、低電力ノードがＵＥの近くにあり、ＵＥからの法外な量のアップリンク干渉に苦しんでいることを示す。従って、ブロック１３５６において、ＵＥ１２０６は、測定された経路損失の差が適切なしきい値よりも小さいかどうかを判定できる。ここで、しきい値は、あらかじめ決定されＵＥ１２０６の中にプログラムされ得るか、またはＲＮＣ１２１８などのネットワークノードで構成され、例えばＲＲＣシグナリングを利用してＵＥ１２０６に送信され得る。経路損失の差がしきい値よりも小さいとき、このことは、犠牲になったセル、例えば低電力ノード１２０２が、電力制御できないＵＥからの干渉に苦しんでいることを示すことができる。すなわち、第１のセルから受信された送信に対応する第１の経路損失と第２のセルから受信された送信に対応する第２の経路損失との間の差がしきい値よりも小さいことの判定に応答して、ＵＥ１２０６は共通制御チャネルの監視を開始できる。すなわち、ブロック１３５６で、ＵＥ１２０６がそのサービングセル１２０４と非サービングセル１２０２との間の経路損失の差がしきい値よりも小さいと判定した場合、ブロック１３５８で、ＵＥ１２０６は、そのサービング許可を修正するかどうかを判定する目的で、ブロック１３５２で受信されたＳＩＢ内に構成された共通Ｅ−ＲＧＣＨの監視を開始できる。ブロック１３６０では、ＵＥ１２０６が、犠牲になったノードＢ１２０２によって送信された負荷制御コマンドを受信すると、ＵＥ１２０６は、それに応じて、共通Ｅ−ＲＧＣＨ上の情報に従ってそのアップリンク送信電力を調整できる。例えば、ＵＥ１２０６は、その送信電力を下げ、それにより、犠牲になった低電力ノード１２０２に引き起こされた干渉を低減できる。
【００９５】
別の例では、低電力ノードによってサービスされたＵＥによって引き起こされたマクロセルに対する干渉を軽減するために、そのＵＥが、マクロセルの経路損失およびそのサービングセルへの経路損失に関する情報を、ＲＮＣに信号伝達できる。ここで、ＲＮＣは、経路損失の差が低過ぎるかどうかを判定し、この場合、ＵＥにその送信電力を低減するように信号伝達し、それにより、犠牲になったマクロセルに引き起こされた干渉を低減できる。
【００９６】
図１４は、上述された例示的なプロセス１４００を示すフローチャートであり、そこでＲＮＣ１２１８は、ＵＥ１２１６によって提供された経路損失情報を利用して、近接マクロセル１２０４への干渉を低減する必要に応じてＵＥ１２１６を電力制御する。ブロック１４０２では、ＵＥが、低電力ノード１２０２にキャンプし、低電力ノード１２０２とのセッションを開始できる。通信セッション中、ブロック１４０４では、ＵＥ１２１６が、マクロセル１２０４であり得るその最強の近接セルへの経路損失と、そのサービングセル１２０２への経路損失とを測定できる。ブロック１４０６では、ＵＥ１２１６が、最強の近接セルおよびサービングセルについて測定された経路損失を、ＲＮＣ１２１８に報告できる。
【００９７】
ブロック１４０６でＵＥ１２１６によって提供された受信情報を使用し、ブロック１４０８において、ＲＮＣ１２１８は、報告された近接セル１２０４と低電力ノード１２０２との間の経路損失の差を決定でき、ブロック１４１０では、ＲＮＣ１２１８が、この経路損失の差が適切なしきい値よりも小さいかどうかを判定できる。経路損失の差がしきい値よりも小さいと判定された場合、このことは、一般に、低電力ノードでの高レベルの干渉を示し、この場合、プロセスはブロック１４１２に進むことができる。ブロック１４１２では、ＲＮＣ１２１８が、ＵＥ１２１６のための最大送信電力を計算できる。ここで、最大送信電力は、目標ライズオーバサーマル雑音（ＲｏＴ）、ＵＥの経路損失、および／またはマクロセルの雑音指数のうちの１つまたは複数に基づくことができる。
【００９８】
ＲｏＴは、任意の特定のＵＥのための送信電力にリンクされ得る、ＲＮＣ１２１８が決定できるパラメータである。すなわち、ＲｏＴはノードＢでの総受信電力に対応する。ＵＥの送信電力が増大する場合、ノードＢでのＲｏＴは増大し、相応に、ＵＥの送信電力が減少する場合、ノードＢでのＲｏＴは減少する。従って、ＲＮＣは、目標ＲｏＴ値に従って、ＵＥのための低下した最大送信電力を計算できる。さらに、経路損失は、ブロック１４０６でＵＥによって提供された数であり得るとともに、マクロセルのための雑音指数は、マクロセル１２０４によりＲＮＣ１２１８に提供された指数であり得る。
【００９９】
ブロック１４１４では、ＲＮＣ１２１８が、計算された最大送信電力をＵＥ１２１６に送信でき、ブロック１４１６では、ＵＥ１２１６が、その送信電力を、ブロック１４１４でＲＮＣ１２１８によって信号伝達された最大送信電力以内に変更できる。従って、
別の例では、低電力ノードが近接マクロセルにキャンプした１つまたは複数のＵＥからの大量の干渉に苦しんでいることをＲＮＣが検出すると、ＲＮＣが、低電力ノードにそのアップリンク受信信号を、例えば雑音パッディングを利用することによって人為的に減衰させるように要求するか、または低電力ノードにそのスケジューリング目標ＲｏＴを増加させるように要求できる。
【０１００】
ここで、雑音パッディング、またはアップリンク受信信号の減衰を増加させることは、受信アップリンク信号の電力を低減するようにノードＢでの受信回路内の回路値を修正することによって達成され得る。ここで、受信機での減衰を増加させることによって、低電力ノードは、低電力ノードによってサービスされたＵＥからのアップリンク送信に実質的に影響を及ぼさずに、セル間干渉を低減できる。すなわち、低電力ノードによってサービスされたＵＥは、自分のアップリンク送信電力を増大させて、低電力ノードで増加した減衰を補償できる。
【０１０１】
同様に、ノードＢのスケジューリング目標ＲｏＴを増加させることによって、ノードＢによってサービスされたＵＥは、セル間干渉にかかわらず自分の信号をノードＢに通過させることをさらに可能にするために、自分のそれぞれのアップリンク送信電力を各々増大させることができる。すなわち、低電力ノードは、高レベルの干渉を引き起こしているセル間のＵＥを従来の方法で電力制御する能力をもたないので、目標ＲｏＴが増加した場合、それは自分の送信電力を結果として増大させる、低電力ノードによってサービスされたＵＥに効果的になり、こうしてセル間干渉の影響を低減する。
【０１０２】
図１５は、上述された例示的なプロセス１５００を示すフローチャートであり、そこでＲＮＣ１２１８は、低電力ノード１２０２にそのアップリンク受信信号を減衰させるか、またはそのスケジューリング目標ＲｏＴを増加させるように要求することによって、低電力ノード１２０２での干渉を軽減できる。ここで、基地局は、自分のアクティブセット内にその基地局を含まない１つまたは複数のＵＥからのアップリンク送信を含むセル間干渉の影響を受けていることを判定できる。すなわち、ブロック１５０２では、ＲＮＣ１２１８が、低電力ノードと高電力ノードとの間のセル間干渉状態を検出できる。例えば、ＲＮＣ１２１８は、低電力ノード１２０２が大量の干渉に苦しんでいることを示す、それぞれのノードＢによってＲＮＣ１２１８に提供された、アップリンク感度または雑音指数などのノードＢの機器情報を受信できる。別の例では、ＲＮＣ１２１８が、低電力ノード１２０２およびマクロセル１２０４との間のソフトハンドオーバにある１つまたは複数のＵＥから、低電力ノード１２０２およびマクロセル１２０４間の経路損失の差などの測定情報を受信できる。さらに別の例では、ＲＮＣ１２１８が、低電力ノード１２０２によって判定され、ＲＮＣ１２１８に信号伝達された、低電力ノード１２０２上のセル間干渉Ｉｏｃを使用できる。いずれの場合でも、ブロック１５０４では、ＲＮＣ１２１８が、低電力ノード１２０２での法外な量の干渉をもたらす、アップリンク不均衡が起きているかどうかを判定できる。高レベルのアップリンク不均衡が検出された場合、ブロック１５０６では、ＲＮＣ１２１８が、例えば適切な雑音パッディングをその受信機に提供することによってセル間干渉を抑圧するように、または低電力ノード１２０２にそのスケジューリング目標ＲｏＴ（例えばその負荷）を増加させるように信号伝達するように低電力ノード１２０２に命令する情報を、バックホールインターフェースを介して低電力ノード１２０２に送信できる。このようにして、低電力ノード１２０２は、低電力ノード１２０２により従来の方法では電力制御され得ない、近接セルにキャンプしたＵＥによって引き起こされた干渉の影響を低減できる。
【０１０３】
別の例において、低電力ノードでのセル間干渉に対処するために、ＲＮＣは、低電力ノードがセル間干渉除去を行うことを可能にできる。すなわち、セル間干渉除去（ＩＣＩＣ）は、様々な無線リソース管理の方法を利用することによって、セル間干渉を低減する１つの方法である。
【０１０４】
ここで、干渉信号の特性を知ることにより、高度なＩＣＩＣ対応受信機は、セル間干渉の問題のある影響を低減できる。すなわち、従来のノードＢはセル間干渉除去を利用でき、そこでノードＢは、ノードＢによってサービスされた他のＵＥからの干渉を抑圧することが可能である。しかしながら、こうした干渉除去技法は、従来のシステムでは、ノードＢがＵＥアップリンク送信情報を欠いているので、ノードＢによってサービスされないＵＥからの干渉を抑圧することは通常可能でない。従って、本開示の一態様では、それらのセル外ＵＥの関連情報が犠牲になったノードＢに提供され得るし、その結果、ノードＢはそれらのセル外ＵＥ上で干渉除去技法を利用できる。
【０１０５】
図１６は、低電力ノードがセル間干渉を引き起こすＵＥを他の方法で電力制御できないときに、低電力ノードがセル間干渉除去を行うことを可能にするための、上述された例示的なプロセス１６００を示すフローチャートである。ブロック１６０２では、ＲＮＣ１２１８が、受信するノードＢがセル間干渉除去を行うことを可能にするための、１つまたは複数のＵＥに関する情報を、低電力ノード１２０２などのノードＢに送信できる。例えば、特定のＵＥの場合、ＲＮＣ１２１８は、ＵＥアップリンクスクランブリングコード、アップリンクＤＰＣＣＨスロットフォーマット、フレームオフセット、パンクチャリミット、Ｅ−ＴＦＣＳ情報、Ｅ−ＴＴＩ、Ｅ−ＤＰＣＣＨ電力オフセット、アップリンクＤＰＤＣＨの最大数、および／またはＥ−ＤＰＤＣＨの最大セットのうちの１つまたは複数を、ノードＢに提供できる。この情報を用いて、ＲＮＣ１２１８は、次いで、低電力ノードＢが、自分のアクティブセット内に低電力ノードＢを含まない１つまたは複数のＵＥからの送信を含むセル間干渉の影響を受けていることを判定し、それに応じてバックホールインターフェースを介して低電力ノードＢに信号を送信して、例えば、それらのＵＥからのアップリンク送信上でセル間干渉除去を行うことによって、セル間干渉を抑圧するように低電力ノードＢに命令できる。
【０１０６】
低電力ノードＢがセル間干渉の影響を受けていることを判定するために、ブロック１６０４では、そのサービングセルとして低電力ノード１２０２を有するＵＥ１２１６などのＵＥが、そのサービングセルと高電力ノード１２０４などの非サービング近接セルとの間の経路損失の差を測定でき、ブロック１６０６において、ＵＥは測定された経路損失の差が適切なしきい値よりも小さいかどうかを判定できる。ここで、経路損失の差が小さい、例えばしきい値を下回る場合、そのことはセル間干渉が高いことを示すことができる。測定された経路損失がしきい値よりも小さいとブロック１６０６で判定された場合、ブロック１６０８では、ＵＥが不均衡状態をＲＮＣ１２１８に報告できる。当然、いくつかの例では、ＵＥが、代わりにそのサービングセルおよび近接セルに経路損失情報を報告できるだけで、ＲＮＣ１２１８が２つの間の経路損失の差がしきい値よりも小さいかどうかを判定できる。いずれの場合でも、経路損失がしきい値よりも小さいことをＲＮＣ１２１８が通知されるか、または判定すると、ブロック１６１０では、ＲＮＣ１２１８がノードＢ、例えば低電力ノード１２０２に、ノードＢがブロック１６０２で受信した情報を利用してセル間干渉除去を行う命令を送信できる。従って、ブロック１６１２では、ノードＢが命令されたセル間干渉除去を行える。
【０１０７】
電気通信システムのいくつかの態様が、Ｗ−ＣＤＭＡシステムを参照して提示されてきた。当業者なら容易に理解するように、本開示全体にわたって記載された様々な態様は、他の電気通信システム、ネットワークアーキテクチャ、および通信規格に拡張され得る。
【０１０８】
例として、様々な態様は、ＴＤ−ＳＣＤＭＡおよびＴＤ−ＣＤＭＡなどの他のＵＭＴＳシステムに拡張され得る。様々な態様は、（ＦＤＤ、ＴＤＤ、または両モードでの）ロングタームエボリューション（ＬＴＥ）、（ＦＤＤ、ＴＤＤ、または両モードでの）ＬＴＥアドバンス（ＬＴＥ−Ａ）、ＣＤＭＡ２０００、エボリューションデータ最適化（ＥＶ−ＤＯ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、ウルトラワイドバンド（ＵＷＢ）、Ｂｌｕｅｔｏｏｔｈ（登録商標）、および／または他の適切なシステムを採用するシステムにも拡張され得る。採用された実際の電気通信規格、ネットワークアーキテクチャ、および／または通信規格は、特定の適用例およびシステムに課せられる全体的な設計制約に依存する。
【０１０９】
開示された方法におけるステップの特定の順序または階層は、例示的なプロセスの一例であることを理解されたい。設計上の選好に基づいて、方法におけるステップの特定の順序または階層は、並べ替えられ得ることを理解されたい。添付の方法クレームは、様々なステップの要素を例示的な順序で提示し、本明細書で特に説明されない限り、提示された特定の順序または階層に限定されるものではない。
【０１１０】
以上の説明は、いかなる当業者も本明細書に記載された様々な態様を実施可能にするために提供される。これらの態様に対する様々な変更は当業者には容易に明らかであり、本明細書に定義された一般原理は他の態様に適用され得る。従って、特許請求の範囲は、本明細書に示された態様に限定されるものではなく、特許請求の範囲の言い回しに矛盾しない全範囲を与えられるべきであり、単数形の要素への言及は、そのように明記されていない限り、「唯一無二」を意味するものではなく、むしろ「１つまたは複数」を意味するものである。別段に明記されない限り、「いくつか」という語は１つまたは複数を表す。項目のリスト「のうちの少なくとも１つ」を指す語句は、個々のメンバーを含む、それらの項目の任意の組合せを指す。一例として、「ａ、ｂまたはｃのうちの少なくとも１つ」は、ａと、ｂと、ｃと、ａおよびｂと、ａおよびｃと、ｂおよびｃと、ａ、ｂおよびｃとを包含するものである。当業者に知られている、または後で知られるようになる、本開示全体を通して記載された様々な態様の要素の構造的および機能的な均等物のすべては、参照により本明細書に明確に組み込まれ、特許請求の範囲によって包含されるものである。さらに、本明細書に開示されたいかなることも、こうした開示が特許請求の範囲に明示的に列挙されているかどうかにかかわらず、公に供されるものではない。いかなるクレーム要素も、その要素が「手段」という語句を使用して明白に記載されていない限り、または方法クレームの場合には、その要素が「ステップ」という語句を使用して記載されていない限り、米国特許法第１１２条第６項の規定に基づいて解釈されるものではない。
以下に、出願当初の特許請求の範囲に記載された発明を付記する。
［Ｃ１］
ユーザ機器で動作可能なワイヤレス通信の方法であって、
第１のセルから受信された送信に対応する第１の経路損失と第２のセルから受信された送信に対応する第２の経路損失との間の差がしきい値よりも小さいことの判定に応答して共通制御チャネルを監視することと、
前記共通制御チャネル上の情報に従ってアップリンク送信電力を調整することとを備える、方法。
［Ｃ２］
前記第１のセルから受信された前記送信に対応する前記第１の経路損失を決定することと、
前記第２のセルから受信された前記送信に対応する前記第２の経路損失を決定することと、
前記第１の経路損失と前記第２の経路損失との間の前記差が前記しきい値よりも小さいことを判定することと
をさらに備える、Ｃ１に記載の方法。
［Ｃ３］
前記第１のセルからの前記送信が第１のパイロット信号を備え、前記第２のセルからの前記送信が第２のパイロット信号を備える、Ｃ２に記載の方法。
［Ｃ４］
前記第１のセルが前記ユーザ機器のためのサービングセルであり、前記方法が、
前記第２のセルに対応するスクランブリングコードを備えるシステム情報ブロックを受信することをさらに備え、前記第２のセルからの前記送信に対応する前記第２の経路損失を前記決定することが、前記第２のセルに対応する前記スクランブリングコードを利用して前記第２のパイロット信号を復号することを備える、Ｃ２に記載の方法。
［Ｃ５］
前記共通制御チャネルに対応するチャネライゼーションコードを備えるシステム情報ブロックを受信することをさらに備え、前記共通制御チャネルを前記監視することが、前記チャネライゼーションコードを利用して前記共通制御チャネルを復号することを備える、Ｃ１に記載の方法。
［Ｃ６］
前記共通制御チャネルが、アップリンク送信用に利用される利得を変える命令を備える共通Ｅ−ＲＧＣＨを備える、Ｃ１に記載の方法。
［Ｃ７］
ユーザ機器で動作可能なワイヤレス通信の方法であって、
第１のセルから受信された送信に対応する第１の経路損失および第２のセルから受信された送信に対応する第２の経路損失に関する情報を送信することと、
前記送信された情報に応答してアップリンク送信電力に関する命令を受信することと、
前記アップリンク送信電力に関する前記命令に従ってアップリンク送信を送信することと
を備える、方法。
［Ｃ８］
前記第１のセルから受信された前記送信に対応する前記第１の経路損失を決定することと、
前記第２のセルから受信された前記送信に対応する前記第２の経路損失を決定することと、
前記第１の経路損失と前記第２の経路損失との間の前記差を判定することとをさらに備え、
前記第１の経路損失および前記第２の経路損失に関する前記情報が、前記第１の経路損失と前記第２の経路損失との間の前記差を備える、Ｃ７に記載の方法。
［Ｃ９］
前記アップリンク送信電力に関する前記命令が、前記ユーザ機器のための最大アップリンク送信電力を備え、
前記アップリンク送信電力に関する前記命令に従って前記アップリンク送信を前記送信することが、前記受信された最大アップリンク送信電力内に入るように前記アップリンク送信電力を低減することを備える、Ｃ７に記載の方法。
［Ｃ１０］
ユーザ機器で動作可能なワイヤレス通信の方法であって、
アップリンク制御チャネルに対応する復号誤り率を検出することと、
前記アップリンク制御チャネルの復号の失敗に応答してアップリンク電力を増大させることと、
前記アップリンク制御チャネルの復号の成功に応答して前記アップリンク電力を減少させることと
を備える、方法。
［Ｃ１１］
前記復号誤り率が、アップリンクＨＳ−ＤＰＣＣＨに対応するＡＣＫ対ＮＡＣＫ／ＤＴＸ誤り率に対応する、Ｃ１０に記載の方法。
［Ｃ１２］
目標ＡＣＫ対ＮＡＣＫ／ＤＴＸ誤り率を設定することをさらに備え、
前記アップリンク電力を前記増大させることが、量Ｃ２Ｐ＿ｕｐだけ前記アップリンク電力を増大させることを備え、前記アップリンク電力を前記減少させることが、量Ｃ２Ｐ＿ｄｏｗｎだけ前記アップリンク電力を減少させることを備え、
Ｃ２Ｐ＿ｕｐ／Ｃ２Ｐ＿ｄｏｗｎ＝（１−ＴＥＲ）／ＴＥＲであり、ここでＴＥＲは前記目標ＡＣＫ対ＮＡＣＫ／ＤＴＸ誤り率である、Ｃ１１に記載の方法。
［Ｃ１３］
前記目標ＡＣＫ対ＮＡＣＫ／ＤＴＸ誤り率を前記設定することが、前記ユーザ機器で前記ＡＣＫ対ＮＡＣＫ／ＤＴＸ誤り率を決定すること、または前記ＡＣＫ対ＮＡＣＫ／ＤＴＸ誤り率を備えるダウンリンク送信を受信することのうちの少なくとも１つを備える、Ｃ１２に記載の方法。
［Ｃ１４］
少なくとも１つのプロセッサと、
前記少なくとも１つのプロセッサに結合されたメモリと
を備え、
前記少なくとも１つのプロセッサが、
第１のセルから受信された送信に対応する第１の経路損失と第２のセルから受信された送信に対応する第２の経路損失との間の差がしきい値よりも小さいことの判定に応答して共通制御チャネルを監視し、
前記共通制御チャネル上の情報に従ってアップリンク送信電力を調整するように構成された、ワイヤレスユーザ機器。
［Ｃ１５］
前記少なくとも１つのプロセッサが、
前記第１のセルから受信された前記送信に対応する前記第１の経路損失を決定し、
前記第２のセルから受信された前記送信に対応する前記第２の経路損失を決定し、
前記第１の経路損失と前記第２の経路損失との間の前記差が前記しきい値よりも小さいことを判定するように構成された、Ｃ１４に記載のワイヤレスユーザ機器。
［Ｃ１６］
前記第１のセルからの前記送信が第１のパイロット信号を備え、前記第２のセルからの前記送信が第２のパイロット信号を備える、Ｃ１５に記載のワイヤレスユーザ機器。
［Ｃ１７］
前記第１のセルが前記ワイヤレスユーザ機器のためのサービングセルであり、前記少なくとも１つのプロセッサが、
前記第２のセルに対応するスクランブリングコードを備えるシステム情報ブロックを受信するようにさらに構成され、前記第２のセルからの前記送信に対応する前記第２の経路損失を前記決定することが、前記第２のセルに対応する前記スクランブリングコードを利用して前記第２のパイロット信号を復号することを備える、Ｃ１５に記載のワイヤレスユーザ機器。
［Ｃ１８］
前記少なくとも１つのプロセッサが、前記共通制御チャネルに対応するチャネライゼーションコードを備えるシステム情報ブロックを受信するようにさらに構成され、
前記共通制御チャネルを前記監視することが、前記チャネライゼーションコードを利用して前記共通制御チャネルを復号することを備える、Ｃ１４に記載のワイヤレスユーザ機器。
［Ｃ１９］
前記共通制御チャネルが、アップリンク送信用に利用される利得を変える命令を備える共通Ｅ−ＲＧＣＨを備える、Ｃ１４に記載のワイヤレスユーザ機器。
［Ｃ２０］
少なくとも１つのプロセッサと、
前記少なくとも１つのプロセッサに結合されたメモリと
を備え、
前記少なくとも１つのプロセッサが、
第１のセルから受信された送信に対応する第１の経路損失および第２のセルから受信された送信に対応する第２の経路損失に関する情報を送信し、
前記送信された情報に応答してアップリンク送信電力に関する命令を受信し、
前記アップリンク送信電力に関する前記命令に従ってアップリンク送信を送信するように構成された、ワイヤレスユーザ機器。
［Ｃ２１］
前記少なくとも１つのプロセッサが、
前記第１のセルから受信された前記送信に対応する前記第１の経路損失を決定し、
前記第２のセルから受信された前記送信に対応する前記第２の経路損失を決定し、
前記第１の経路損失と前記第２の経路損失との間の前記差を判定する
ようにさらに構成され、
前記第１の経路損失および前記第２の経路損失に関する前記情報が、前記第１の経路損失と前記第２の経路損失との間の前記差を備える、Ｃ２０に記載のワイヤレスユーザ機器。
［Ｃ２２］
前記アップリンク送信電力に関する前記命令が、前記ユーザ機器のための最大アップリンク送信電力を備え、
前記アップリンク送信電力に関する前記命令に従って前記アップリンク送信を前記送信することが、前記受信された最大アップリンク送信電力内に入るように前記アップリンク送信電力を低減することを備える、Ｃ２０に記載のワイヤレスユーザ機器。
［Ｃ２３］
少なくとも１つのプロセッサと、
前記少なくとも１つのプロセッサに結合されたメモリと
を備え、
前記少なくとも１つのプロセッサが、
アップリンク制御チャネルに対応する復号誤り率を検出し、
前記アップリンク制御チャネルの復号の失敗に応答してアップリンク電力を増大させ、
前記アップリンク制御チャネルの復号の成功に応答して前記アップリンク電力を減少させるように構成された、ワイヤレスユーザ機器。
［Ｃ２４］
前記復号誤り率が、アップリンクＨＳ−ＤＰＣＣＨに対応するＡＣＫ対ＮＡＣＫ／ＤＴＸ誤り率に対応する、Ｃ２３に記載のワイヤレスユーザ機器。
［Ｃ２５］
前記少なくとも１つのプロセッサが、目標ＡＣＫ対ＮＡＣＫ／ＤＴＸ誤り率を設定するようにさらに構成され、
前記アップリンク電力を前記増大させることが、量Ｃ２Ｐ＿ｕｐだけ前記アップリンク電力を増大させることを備え、前記アップリンク電力を前記減少させることが、量Ｃ２Ｐ＿ｄｏｗｎだけ前記アップリンク電力を減少させることを備え、
Ｃ２Ｐ＿ｕｐ／Ｃ２Ｐ＿ｄｏｗｎ＝（１−ＴＥＲ）／ＴＥＲであり、ここでＴＥＲは前記目標ＡＣＫ対ＮＡＣＫ／ＤＴＸ誤り率である、Ｃ２４に記載のワイヤレスユーザ機器。
［Ｃ２６］
前記目標ＡＣＫ対ＮＡＣＫ／ＤＴＸ誤り率を前記設定することが、前記ユーザ機器で前記ＡＣＫ対ＮＡＣＫ／ＤＴＸ誤り率を決定すること、または前記ＡＣＫ対ＮＡＣＫ／ＤＴＸ誤り率を備えるダウンリンク送信を受信することのうちの少なくとも１つを備える、Ｃ２５に記載のワイヤレスユーザ機器。
［Ｃ２７］
第１のセルから受信された送信に対応する第１の経路損失と第２のセルから受信された送信に対応する第２の経路損失との間の差がしきい値よりも小さいことの判定に応答して共通制御チャネルを監視するための手段と、
前記共通制御チャネル上の情報に従ってアップリンク送信電力を調整するための手段とを備える、ワイヤレスユーザ機器。
［Ｃ２８］
第１のセルから受信された送信に対応する第１の経路損失および第２のセルから受信された送信に対応する第２の経路損失に関する情報を送信するための手段と、
前記送信された情報に応答してアップリンク送信電力に関する命令を受信するための手段と、
前記アップリンク送信電力に関する前記命令に従ってアップリンク送信を送信するための手段と
を備える、ワイヤレスユーザ機器。
［Ｃ２９］
アップリンク制御チャネルに対応する復号誤り率を検出するための手段と、
前記アップリンク制御チャネルの復号の失敗に応答してアップリンク電力を増大させるための手段と、
前記アップリンク制御チャネルの復号の成功に応答して前記アップリンク電力を減少させるための手段と
を備える、ワイヤレスユーザ機器。
［Ｃ３０］
ワイヤレスユーザ機器で動作可能なコンピュータプログラム製品であって、
コンピュータに、第１のセルから受信された送信に対応する第１の経路損失と第２のセルから受信された送信に対応する第２の経路損失との間の差がしきい値よりも小さいことの判定に応答して共通制御チャネルを監視させるための命令と、
コンピュータに、前記共通制御チャネル上の情報に従ってアップリンク送信電力を調整させるための命令と
を備えるコンピュータ可読媒体を備える、コンピュータプログラム製品。
［Ｃ３１］
ワイヤレスユーザ機器で動作可能なコンピュータプログラム製品であって、
コンピュータに、第１のセルから受信された送信に対応する第１の経路損失および第２のセルから受信された送信に対応する第２の経路損失に関する情報を送信させるための命令と、
コンピュータに、前記送信された情報に応答してアップリンク送信電力に関する命令を受信させるための命令と、
コンピュータに、前記アップリンク送信電力に関する前記命令に従ってアップリンク送信を送信させるための命令と
を備えるコンピュータ可読媒体を備える、コンピュータプログラム製品。
［Ｃ３２］
ワイヤレスユーザ機器で動作可能なコンピュータプログラム製品であって、
コンピュータに、アップリンク制御チャネルに対応する復号誤り率を検出させるための命令と、
コンピュータに、前記アップリンク制御チャネルの復号の失敗に応答してアップリンク電力を増大させるための命令と、
コンピュータに、前記アップリンク制御チャネルの復号の成功に応答して前記アップリンク電力を減少させるための命令と
を備える、コンピュータ可読媒体
を備える、コンピュータプログラム製品。
【図１】
0005706006.tif 000002
【図２】
0005706006.tif 000003
【図３】
0005706006.tif 000004
【図４】
0005706006.tif 000005
【図５】
0005706006.tif 000006
【図６】
0005706006.tif 000007
【図７】
0005706006.tif 000008
【図８】
0005706006.tif 000009
【図９】
0005706006.tif 000010
【図１０】
0005706006.tif 000011
【図１１】
0005706006.tif 000012
【図１２】
0005706006.tif 000013
【図１３】
0005706006.tif 000014
【図１４】
0005706006.tif 000015
【図１５】
0005706006.tif 000016
【図１６】
0005706006.tif 000017